(57)【要約】      （修正有）【課題】マルチモードアクセスポイントにおける無線アクセス技術間の切替え方法を提供する。【解決手段】アクセスポイントは、いくつかの状況では、アクセス端末を第１のタイプの無線アクセス技術から第２のタイプの無線アクセス技術にリダイレクトする。そのようなリダイレクションを起動するという決定は、たとえば、第１のタイプの無線アクセス技術に関するトラフィック状態、第２のタイプの無線アクセス技術に関するトラフィック状態およびアクセスポイントのためのバックホールが、現在、アクセスポイント通信に対するボトルネックであるかどうかのうちの少なくとも１つに基づく。【選択図】図２
2018125873.tif 000002
【特許請求の範囲】
【請求項１】
第１のタイプの無線アクセス技術を使用してアクセス端末と通信するように構成される第１の通信デバイスと、
前記第１のタイプの無線アクセス技術に関連するトラフィック状態を示す少なくとも１つのインジケーションを判断するように構成され、前記少なくとも１つのインジケーションに基づいて、前記第１のタイプの無線アクセス技術の代わりに第２のタイプの無線アクセス技術に切り替えることを判断するようにさらに構成される処理システムと、
前記第２のタイプの無線アクセス技術に切り替えるという前記判断の結果として、前記第２のタイプの無線アクセス技術を使用して前記アクセス端末と通信するように構成される第２の通信デバイスと
を備える、ワイヤレス通信のための装置。
【請求項２】
前記第１のタイプの無線アクセス技術がＷｉ−Ｆｉ技術を備え、
前記第２のタイプの無線アクセス技術がセルラー技術を備える、
請求項１に記載の装置。
【請求項３】
前記少なくとも１つのインジケーションは、前記第１のタイプの無線アクセス技術を使用して前記装置と前記アクセス端末との間に確立された通信チャネルが輻輳しているかどうかを示す、
請求項１に記載の装置。
【請求項４】
前記処理システムは、前記装置のためのワイドエリアネットワーク通信リンクに関連するトラフィック状態を示す少なくとも１つの第２のインジケーションを判断するようにさらに構成され、
前記第２のタイプの無線アクセス技術に切り替えるという前記判断は、前記少なくとも１つの第２のインジケーションにさらに基づく、
請求項１に記載の装置。
【請求項５】
前記ワイドエリアネットワーク通信リンクは、前記装置のための少なくとも１つのバックホールリンクを備え、
前記少なくとも１つの第２のインジケーションは、前記少なくとも１つのバックホールリンクは、前記装置によってサービスされる通信に対するボトルネックであるかどうかを示す、
請求項４に記載の装置。
【請求項６】
前記少なくとも１つのバックホールリンクが前記通信に対するボトルネックである場合、前記アクセス端末は、少なくとも１つの他のバックホールを用いてアクセスポイントにリダイレクトされる、
請求項５に記載の装置。
【請求項７】
前記処理システムは、前記第２のタイプの無線アクセス技術に関連するトラフィック状態を示す少なくとも１つの第３のインジケーションを判断するようにさらに構成され、
前記第２のタイプの無線アクセス技術に切り替えるという前記判断は、前記少なくとも１つの第３のインジケーションにさらに基づく、
請求項４に記載の装置。
【請求項８】
前記処理システムは、前記アクセス端末によって使用される少なくとも１つのサービスを識別するようにさらに構成され、
前記第２のタイプの無線アクセス技術に切り替えるという前記判断は、前記少なくとも１つのサービスにさらに基づく、
請求項１に記載の装置。
【請求項９】
前記処理システムは、前記第１のタイプのワイヤレス通信を使用する前記通信のための、前記アクセス端末に関連するインターネットプロトコル（ＩＰ）アドレスを取り消すことによって、前記第１のタイプの無線アクセス技術の代わりに前記第２のタイプの無線アクセス技術を使用して前記通信を起動するようにさらに構成される、
請求項１に記載の装置。
【請求項１０】
前記処理システムは、前記第１のタイプの無線アクセス技術を使用する前記通信のための、前記装置によって通知されたサービスセット識別子（ＳＳＩＤ）を無効化することによって、前記第１のタイプの無線アクセス技術の代わりに前記第２のタイプの無線アクセス技術を使用して前記通信を起動するようにさらに構成される、
請求項１に記載の装置。
【請求項１１】
前記無効化されたＳＳＩＤは、前記第１のタイプの無線アクセス技術のための前記装置によって通知された複数のＳＳＩＤのうちの１つである、
請求項１０に記載の装置。
【請求項１２】
前記処理システムは、トラフィックが、前記アクセス端末に割り当てられたメディアアクセス制御（ＭＡＣ）アドレスに関連する場合、前記第１のタイプのワイヤレス通信を介して送られた前記トラフィックをフィルタ処理することによって、前記第１のタイプの無線アクセス技術の代わりに前記第２のタイプの無線アクセス技術を使用して前記通信を起動するようにさらに構成される、
請求項１に記載の装置。
【請求項１３】
前記少なくとも１つのインジケーションは、スループット、干渉、アクティブなデバイスの数、受信信号強度インジケーション（ＲＳＳＩ）、送信されたアクセスメッセージの量、リンク状態、バッファステータス、またはパケットロス率のうちの少なくとも１つを備える、
請求項１に記載の装置。
【請求項１４】
第１のタイプの無線アクセス技術を使用してアクセス端末と通信することと、
前記第１のタイプの無線アクセス技術に関連するトラフィック状態を示す少なくとも１つのインジケーションを判断することと、
前記少なくとも１つのインジケーションに基づいて、前記第１のタイプの無線アクセス技術の代わりに第２のタイプの無線アクセス技術に切り替えることを判断することと、
前記第２のタイプの無線アクセス技術に切り替えるという前記判断の結果として、前記第２のタイプの無線アクセス技術を使用して前記アクセス端末と通信することと
を備える、マルチモードアクセスポイントのための通信の方法。
【請求項１５】
前記第１のタイプの無線アクセス技術がＷｉ−Ｆｉ技術を備え、
前記第２のタイプの無線アクセス技術がセルラー技術を備える、
請求項１４に記載の方法。
【請求項１６】
前記少なくとも１つのインジケーションは、前記第１のタイプの無線アクセス技術を使用して前記アクセスポイントと前記アクセス端末との間に確立された通信チャネルが輻輳しているかどうかを示す、
請求項１４に記載の方法。
【請求項１７】
前記アクセスポイントのためのワイドエリアネットワーク通信リンクに関連するトラフィック状態を示す少なくとも１つの第２のインジケーションを判断することをさらに備え、前記第２のタイプの無線アクセス技術に切り替えるという前記判断は、前記少なくとも１つの第２のインジケーションにさらに基づく、
請求項１４に記載の方法。
【請求項１８】
前記ワイドエリアネットワーク通信リンクは、前記アクセスポイントのための少なくとも１つのバックホールリンクを備え、
前記少なくとも１つの第２のインジケーションは、前記少なくとも１つのバックホールリンクが、前記アクセスポイントによってサービスされる通信に対するボトルネックであるかどうかを示す、
請求項１７に記載の方法。
【請求項１９】
前記少なくとも１つのバックホールリンクが前記通信に対するボトルネックである場合、前記アクセス端末は、少なくとも１つの他のバックホールを用いて別のアクセスポイントにリダイレクトされる、
請求項１８に記載の方法。
【請求項２０】
前記第２のタイプの無線アクセス技術に関連するトラフィック状態を示す少なくとも１つの第３のインジケーションを判断することをさらに備え、前記第２のタイプの無線アクセス技術に切り替えるという前記判断は、前記少なくとも１つの第３のインジケーションにさらに基づく、
請求項１７に記載の方法。
【請求項２１】
前記アクセス端末によって使用される少なくとも１つのサービスを識別することをさらに備え、前記第２のタイプの無線アクセス技術に切り替えるという前記判断は、前記少なくとも１つのサービスにさらに基づく、
請求項１４に記載の方法。
【請求項２２】
前記第１のタイプのワイヤレス通信を使用する前記通信のための、前記アクセス端末に関連するインターネットプロトコル（ＩＰ）アドレスを取り消すことによって、前記第１のタイプの無線アクセス技術の代わりに前記第２のタイプの無線アクセス技術を使用して前記通信を起動することをさらに備える、
請求項１４に記載の方法。
【請求項２３】
前記第１のタイプの無線アクセス技術を使用する前記通信のための、前記アクセスポイントによって通知されたサービスセット識別子（ＳＳＩＤ）を無効化することによって、前記第１のタイプの無線アクセス技術の代わりに前記第２のタイプの無線アクセス技術を使用して前記通信を起動することをさらに備える、
請求項１４に記載の方法。
【請求項２４】
前記無効化されたＳＳＩＤは、前記第１のタイプの無線アクセス技術のための、前記アクセスポイントによって通知された複数のＳＳＩＤのうちの１つである、
請求項２３に記載の方法。
【請求項２５】
トラフィックが前記アクセス端末に割り当てられたメディアアクセス制御（ＭＡＣ）アドレスに関連する場合、前記第１のタイプのワイヤレス通信を介して送られた前記トラフィックをフィルタ処理することによって、前記第１のタイプの無線アクセス技術の代わりに前記第２のタイプの無線アクセス技術を使用して前記通信を起動することをさらに備える、
請求項１４に記載の方法。
【請求項２６】
前記少なくとも１つのインジケーションは、スループット、干渉、アクティブなデバイスの数、受信信号強度インジケーション（ＲＳＳＩ）、送信されたアクセスメッセージの量、リンク状態、バッファステータス、またはパケットロス率のうちの少なくとも１つを備える、
請求項１４に記載の方法。
【請求項２７】
第１のタイプの無線アクセス技術を使用してアクセス端末と通信するための手段と、
前記第１のタイプの無線アクセス技術に関連するトラフィック状態を示す少なくとも１つのインジケーションを判断するための手段と、
前記少なくとも１つのインジケーションに基づいて、前記第１のタイプの無線アクセス技術の代わりに第２のタイプの無線アクセス技術に切り替えることを判断するための手段と、
前記第２のタイプの無線アクセス技術に切り替えるという前記判断の結果として、前記第２のタイプの無線アクセス技術を使用して前記アクセス端末と通信するための手段と
を備える、ワイヤレス通信のための装置。
【請求項２８】
前記第１のタイプの無線アクセス技術がＷｉ−Ｆｉ技術を備え、
前記第２のタイプの無線アクセス技術がセルラー技術を備える、
請求項２７に記載の装置。
【請求項２９】
前記少なくとも１つのインジケーションは、前記第１のタイプの無線アクセス技術を使用して前記装置と前記アクセス端末との間に確立された通信チャネルが輻輳しているかどうかを示す、
請求項２７に記載の装置。
【請求項３０】
前記装置のためのワイドエリアネットワーク通信リンクに関連するトラフィック状態を示す少なくとも１つの第２のインジケーションを判断するための手段をさらに備え、前記第２のタイプの無線アクセス技術に切り替えるという前記判断は、前記少なくとも１つの第２のインジケーションにさらに基づく、
請求項２７に記載の装置。
【請求項３１】
前記第２のタイプの無線アクセス技術に関連するトラフィック状態を示す少なくとも１つの第３のインジケーションを判断するための手段をさらに備え、前記第２のタイプの無線アクセス技術に切り替えるという前記判断は、前記少なくとも１つの第３のインジケーションにさらに基づく、
請求項３０に記載の装置。
【請求項３２】
前記アクセス端末によって使用される少なくとも１つのサービスを識別するための手段をさらに備え、前記第２のタイプの無線アクセス技術に切り替えるという前記判断は、前記少なくとも１つのサービスにさらに基づく、
請求項２７に記載の装置。
【請求項３３】
前記第１のタイプのワイヤレス通信を使用する前記通信のための、前記アクセス端末に関連するインターネットプロトコル（ＩＰ）アドレスを取り消すことによって、前記第１のタイプの無線アクセス技術の代わりに前記第２のタイプの無線アクセス技術を使用して前記通信を起動するための手段をさらに備える、
請求項２７に記載の装置。
【請求項３４】
前記第１のタイプの無線アクセス技術を使用する前記通信のための、前記装置によって通知されたサービスセット識別子（ＳＳＩＤ）を無効化することによって、前記第１のタイプの無線アクセス技術の代わりに前記第２のタイプの無線アクセス技術を使用して前記通信を起動するための手段をさらに備える、
請求項２７に記載の装置。
【請求項３５】
トラフィックが前記アクセス端末に割り当てられたメディアアクセス制御（ＭＡＣ）アドレスに関連する場合、前記第１のタイプのワイヤレス通信を介して送られた前記トラフィックをフィルタ処理することによって、前記第１のタイプの無線アクセス技術の代わりに前記第２のタイプの無線アクセス技術を使用して前記通信を起動するための手段をさらに備える、
請求項２７に記載の装置。
【請求項３６】
第１のタイプの無線アクセス技術を使用してアクセス端末と通信することと、
前記第１のタイプの無線アクセス技術に関連するトラフィック状態を示す少なくとも１つのインジケーションを判断することと、
前記少なくとも１つのインジケーションに基づいて、前記第１のタイプの無線アクセス技術の代わりに第２のタイプの無線アクセス技術に切り替えることを判断することと、
前記第２のタイプの無線アクセス技術に切り替えるという前記判断の結果として、前記第２のタイプの無線アクセス技術を使用して前記アクセス端末と通信することと
をコンピュータに行わせるためのコードを備えるコンピュータ可読媒体
を備える、コンピュータプログラム製品。
【請求項３７】
前記第１のタイプの無線アクセス技術がＷｉ−Ｆｉ技術を備え、
前記第２のタイプの無線アクセス技術がセルラー技術を備える、
請求項３６に記載のコンピュータプログラム製品。
【請求項３８】
前記少なくとも１つのインジケーションは、前記第１のタイプの無線アクセス技術を使用してアクセスポイントと前記アクセス端末との間に確立された通信チャネルが輻輳しているかどうかを示す、
請求項３６に記載のコンピュータプログラム製品。
【請求項３９】
前記コンピュータ可読媒体は、前記アクセスポイントのためのワイドエリアネットワーク通信リンクに関連するトラフィック状態を示す少なくとも１つの第２のインジケーションを判断することを前記コンピュータに行わせるためのコードをさらに備え、
前記第２のタイプの無線アクセス技術に切り替えるという前記判断が、前記少なくとも１つの第２のインジケーションにさらに基づく、
請求項３６に記載のコンピュータプログラム製品。
【請求項４０】
前記コンピュータ可読媒体は、前記第２のタイプの無線アクセス技術に関連するトラフィック状態を示す少なくとも１つの第３のインジケーションを判断することを前記コンピュータに行わせるためのコードをさらに備え、
前記第２のタイプの無線アクセス技術に切り替えるという前記判断は、前記少なくとも１つの第３のインジケーションにさらに基づく、
請求項３９に記載のコンピュータプログラム製品。
【請求項４１】
前記コンピュータ可読媒体は、前記アクセス端末によって使用される少なくとも１つのサービスを識別することを前記コンピュータに行わせるためのコードをさらに備え、
前記第２のタイプの無線アクセス技術に切り替えるという前記判断は、前記少なくとも１つのサービスにさらに基づく、
請求項３６に記載のコンピュータプログラム製品。
【請求項４２】
前記コンピュータ可読媒体は、前記第１のタイプのワイヤレス通信を使用する前記通信のための、前記アクセス端末に関連するインターネットプロトコル（ＩＰ）アドレスを取り消すことによって、前記第１のタイプの無線アクセス技術の代わりに前記第２のタイプの無線アクセス技術を使用して前記通信を起動することを前記コンピュータに行わせるためのコードをさらに備える、
請求項３６に記載のコンピュータプログラム製品。
【請求項４３】
前記コンピュータ可読媒体は、前記第１のタイプの無線アクセス技術を使用する前記通信のための、前記アクセスポイントによって通知されたサービスセット識別子（ＳＳＩＤ）を無効化することによって、前記第１のタイプの無線アクセス技術の代わりに前記第２のタイプの無線アクセス技術を使用して前記通信を起動することを前記コンピュータに行わせるためのコードをさらに備える、
請求項３６に記載のコンピュータプログラム製品。
【請求項４４】
前記コンピュータ可読媒体は、トラフィックが前記アクセス端末に割り当てられたメディアアクセス制御（ＭＡＣ）アドレスに関連する場合、前記第１のタイプのワイヤレス通信を介して送られた前記トラフィックをフィルタ処理することによって、前記第１のタイプの無線アクセス技術の代わりに前記第２のタイプの無線アクセス技術を使用して前記通信を起動することを前記コンピュータに行わせるためのコードをさらに備える、
請求項３６に記載のコンピュータプログラム製品。
【発明の詳細な説明】
【関連出願】
【０００１】
優先権の主張  
本出願は、その開示が参照により本明細書に組み込まれる、２０１１年４月２０日に出願され、代理人整理番号第１１１５０６Ｐ１号を付与された、同一出願人が所有する米国仮特許出願第６１／４７７，４９１号の利益および優先権を主張する。
【技術分野】
【０００２】
本出願は、一般にワイヤレス通信に関し、より詳細には、限定はしないが、複数の無線アクセス技術をサポートするマルチモードアクセスポイントに関する。
【背景技術】
【０００３】
序論
ワイヤレス通信ネットワークは、定義された地理的エリア内のユーザに様々なタイプのサービス（たとえば、ボイス、データ、マルチメディアサービスなど）を提供するために、その地理的エリアにわたって事業者によって展開され得る。典型的な実装形態では、事業者のネットワークによってサービスされる地理的エリア内で動作しているアクセス端末（たとえば、セルフォン）にワイヤレス接続性を与えるために、（たとえば、各々が１つまたは複数のマクロセルに対応する）マクロアクセスポイントがネットワーク全体にわたって分散される。
【０００４】
マクロネットワーク展開は、その地理的エリアにわたって良好なカバレージを提供するように慎重に計画され、設計され、実装される。しかしながら、そのような慎重な計画を伴う場合でも、そのような展開は、屋内および潜在的に他の環境において、経路損失、フェージング、マルチパス、シャドーイングなどのチャネル特性に完全には適応しないことがある。したがって、マクロセルユーザは、不十分なユーザエクスペリエンスをもたらす、屋内および他のロケーションにおけるカバレージ問題（たとえば、呼停止および品質劣化）に直面することがある。
【０００５】
従来のネットワークアクセスポイント（たとえば、マクロセル）を補い、向上した性能を与えるために、低電力アクセスポイントを展開して、比較的小さいカバレージエリアにわたってアクセス端末にカバレージを与え得る。たとえば、ユーザの自宅または企業環境（たとえば商業ビル）に設置された低電力アクセスポイントは、セルラー無線通信（たとえば、ＣＤＭＡ、ＷＣＤＭＡ（登録商標）、ＵＭＴＳ、ＬＴＥ（登録商標）など）をサポートするアクセス端末にボイスおよび高速データサービスを提供し得る。
【０００６】
様々な実装形態では、低電力アクセスポイントは、たとえば、フェムトセル、フェムトアクセスポイント、ホームノードＢ、ホームｅノードＢ、またはアクセスポイント基地局、ピコセルなどと呼ばれることがある。いくつかの実装形態では、そのような低電力アクセスポイントは、デジタル加入者回線（ＤＳＬ）、ケーブルインターネットアクセス、Ｔ１／Ｔ３、または接続性の何らかの他の好適な手段を介してインターネットおよびモバイル事業者のネットワークに接続される。さらに、低電力アクセスポイントは、たとえば、送受信基地局（ＢＴＳ）技術、無線ネットワークコントローラ、およびゲートウェイサポートノードサービスなど、典型的なアクセスポイント機能を提供し得る。低電力アクセスポイントの使用は、事業者のネットワークに関連するカバレージ問題を緩和するのを助けるが、これらのタイプのアクセスポイントは、多くのエリアでは広範囲に展開されていない。
【０００７】
その上、ネットワーク制約により、事業者のネットワークは、高いデータレートを有するトラフィックを効果的にサポートしないことがある。たとえば、データスロットリングおよび／またはデータ使用量キャップの使用によって、ワイヤレスネットワーク事業者は、ユーザが、セルフォンを介して高帯域アプリケーション（たとえば、ビデオ、ダウンロードなど）にアクセスするのを阻止し得る。
【０００８】
これらのカバレージおよび／または帯域幅制約に対処するために、いくつかのタイプのアクセス端末は複数の動作モードをサポートする。たとえば、アクセス端末は、ワイヤレスワイドエリアネットワーク（ＷＷＡＮ）サービス（たとえば、セルラーサービス）と、少なくとも１つの他のタイプのワイヤレスサービス（たとえば、Ｗｉ−Ｆｉ）とをサポートし得る。したがって、そのようなマルチモードアクセス端末は、異なるワイヤレスサービスによって与えられるカバレージおよび／またはサービスレベルに応じて、異なる時間に異なるワイヤレスサービスを使用し得る。たとえば、セルラーサービスとＷｉ−Ｆｉサービスとをサポートするデュアルモードセルフォンは、一般に、Ｗｉ−Ｆｉサービスが利用可能であるときはいつでも、Ｗｉ−Ｆｉサービスにデフォルト設定される。このようにして、セルフォンは、Ｗｉ−Ｆｉによって一般に与えられるより高いピークデータレートを利用することが可能であり、同時に、事業者に対してセルラーシステム上の負荷を低減すること、およびユーザに対してＷＷＡＮサービスに関連する（たとえば、分および／またはデータ使用量に対応する）使用料を低減することが可能である。
【０００９】
Ｗｉ−Ｆｉサービスは、セルラーサービスよりも高いピークデータレートをサポートし得るが、Ｗｉ−Ｆｉは非ライセンス（したがって、比較的管理されていない）無線スペクトルを利用するので、Ｗｉ−Ｆｉアクセスはスプリアス無線干渉を受けやすいことがある。たとえば、１つの干渉源は、Ｗｉ−Ｆｉ対応である様々なコンシューマー電子デバイスなど（たとえば、テレビ受像機、パーソナルコンピュータ、ゲーム機など）の家庭内干渉物であり得る。別の干渉源は、近くの家、アパート、および他の建築物において展開される他のＷｉ−Ｆｉコンシューマー電子デバイスなど、近隣干渉物であり得る。概して、そのような干渉源は、Ｗｉ−Ｆｉアクセスを劣化させ得る。
【００１０】
また、Ｗｉ−Ｆｉサービスは、セルラーサービスよりも予測可能でないことがある。たとえば、上述のように、アクセス端末（たとえば、スマートフォン）は、既知のＷｉ−Ｆｉアクセスが見つかる場合、そのＷｉ−Ｆｉアクセスに常に接続し得る。さらに、そのようなアクセス端末は、一般に、バッテリー消費量を低減するために、アクセス端末のディスプレイスクリーンがオフにされたときにＷｉ−Ｆｉアクセスをオフにし、代わりにセルラーデータモードを使用する。この手法のための１つの論拠は、ユーザがアクセス端末と対話しているときにのみ、Ｗｉ−Ｆｉデータレートが必要とされるという仮定に基づく。しかしながら、実際には、上記の手法は、常に最良の動作選定であるとは限らない。たとえば、上記で説明したように、Ｗｉ−Ｆｉは、著しい予測不可能な干渉を受けやすい。したがって、Ｗｉ−Ｆｉが存在するときはいつでもＷｉ−Ｆｉを自動的に選択することは、所与のユーザに最良のサービスを常に提供するとは限らないことがある。さらに、アクセス端末のディスプレイスクリーンのオン／オフステータスは、アクセス端末の後続のバックグラウンド／対話型挙動の最良のインジケーションを与えないことがある。たとえば、いくつかのアクセス端末（たとえば、Ｍｉｒａｓｏｌベースのデバイス）では、それらのディスプレイスクリーンは常にオンであり得る。上記に鑑みて、マルチモードアクセス端末をサポートするためのより有効な方式が必要である。
【発明の概要】
【００１１】
本開示のいくつかの例示的な態様の概要について以下で説明する。本概要は、読者の便宜のために与えられるものであり、本開示の幅を完全に定義するとは限らない。便宜上、本明細書では、本開示の単一の態様または複数の態様を指すために、いくつかの態様という用語を使用することがある。
【００１２】
本開示は、いくつかの態様では、マルチモードアクセス端末と通信するために、Ｗｉ−Ｆｉおよびセルラーなど、異なる無線アクセス技術をサポートするマルチモードアクセスポイントに関する。いくつかの態様では、そのようなアクセスポイントは、いくつかの条件下で、アクセス端末との通信をある無線アクセス技術から別の無線アクセス技術に切り替えさせる。たとえば、アクセスポイントは、Ｗｉ−Ｆｉが輻輳しており、アクセスポイントのためのバックホールがボトルネックでない場合、セルラー対応アクセス端末をＷｉ−Ｆｉからセルラーにリダイレクトし得る。アクセスポイントは、次いで、Ｗｉ−Ｆｉ輻輳状態が回復したとき、アクセス端末をＷｉ−Ｆｉにリダイレクトし得る。場合によっては、異なるＲＡＴへのアクセス端末のリダイレクションは、他のＲＡＴへのアクセス端末のオフローディングと呼ばれる。同様のリダイレクション動作が、（たとえば、セルラー技術からＷｉ−Ｆｉ技術にアクセス端末をオフロードするために）反対方向においても採用され得る。
【００１３】
アクセスポイントは、輻輳を示す様々なネットワーク属性に関する可視性を有し得、したがって、アクセス端末をオフロードするかどうかを判断するために使用され得る。たとえば、アクセス端末をリダイレクトするという決定は、Ｗｉ−Ｆｉチャネルおよび／またはセルラーチャネル上のスループット、Ｗｉ−Ｆｉチャネルおよび／またはセルラーチャネル上の干渉、Ｗｉ−Ｆｉチャネルおよび／またはセルラーチャネル上のアクティブなデバイスの数、バックホール利用率（たとえば、アクセスポイントのバックホールがボトルネックでない場合、リダイレクションが起動され得る）といったファクタのうちの１つまたは複数に基づき得る。上記のうちの１つまたは複数を示し得る情報の例には、限定はしないが、Ｗｉ−Ｆｉ無線チャネル上で観測された受信信号強度インジケーション（ＲＳＳＩ）、Ｗｉ−Ｆｉチャネル上で観測された送信要求（ＲＴＳ）および／または送信可（ＣＴＳ）メッセージの数、バッファ（または待ち行列）ステータス、あるいはアクセス端末が使用しているサービス（たとえば、トラフィック）のタイプ（たとえば、ボイスオーバーインターネットプロトコル（ＶｏＩＰ）、ビデオストリーミング、ウェブブラウジング、キープアライブ動作など）がある。
【００１４】
いくつかの態様では、アクセスポイントは、以下で説明する技法のうちの１つまたは複数の使用によって、アクセス端末を別のタイプの無線アクセス技術に（たとえば、Ｗｉ−Ｆｉからセルラーに）リダイレクトし得る。いくつかの実装形態では、アクセスポイントは、第１のタイプの無線アクセス技術（たとえば、Ｗｉ−Ｆｉ）を使用する通信のためにアクセス端末に割り当てられたインターネットプロトコル（ＩＰ）アドレスを取り消し、この通信のために新しいＩＰアドレスを割り当てない。いくつかの実装形態では、アクセスポイントは、第１のタイプの無線アクセス技術（たとえば、Ｗｉ−Ｆｉ）を使用する通信のためにアクセス端末に割り当てられたメディアアクセス制御（ＭＡＣ）アドレスに関連するトラフィックをフィルタ処理（たとえば、ブロック）する。いくつかの実装形態では、アクセスポイントは、第１のタイプの無線アクセス技術（たとえば、Ｗｉ−Ｆｉ）を使用する通信のために前に使用されたサービスセット識別子（ＳＳＩＤ）を無効化する。この場合、アクセスポイントは複数のＳＳＩＤを作成し得る。たとえば、マルチモードアクセス端末（たとえば、スマートフォン）が使用するために割り振られたＳＳＩＤは、本明細書で教示するオフローディングを可能にするために、動的に有効化または無効化され得る。永続的ＳＳＩＤである別のＳＳＩＤは、Ｗｉ−Ｆｉ技術のみをサポートするデバイスが使用するために割り振られ得る。いくつかの実装形態では、アクセスポイントは、アクセス端末上のアプリケーションに、様々なタイプの無線アクセス技術を介して通信を有効化／無効化させるために、アクセス端末にメッセージを送る。
【００１５】
したがって、本開示は、いくつかの態様では、統合マルチモードアクセスポイント（たとえば、フェムトセルＷｉ−Ｆｉアクセスポイント）におけるインテリジェントオフロードに関する。そのようなアクセスポイントの使用は、ネットワーク輻輳とエアインターフェース輻輳とに関するアクセスポイント可視性の使用によってアクセス端末性能を改善（たとえば、最適化）し得る。たとえば、アクセスポイントは、そのような情報を使用して、特定の時間において無線環境の状態に最も適した無線アクセス技術を選択し得る。有利には、これは、アクセス端末またはいずれかのコアネットワーク要素からの明示的サポートなしに達成され得る。他の利点が本開示を通して当業者にとって明らかになり得るので、本明細書で説明するこれらおよび他のいかなる利点も排他的なものではないことを諒解されたい。
【００１６】
上記に鑑みて、いくつかの態様では、マルチモードアクセスポイントのための通信は、第１のタイプの無線アクセス技術を使用してアクセス端末と通信することと、第１のタイプの無線アクセス技術に関連するトラフィック状態を示す少なくとも１つのインジケーションを判断することと、少なくとも１つのインジケーションに基づいて、第１のタイプの無線アクセス技術の代わりに第２のタイプの無線アクセス技術に切り替えることを判断することと、第２のタイプの無線アクセス技術に切り替えるという判断の結果として、第２のタイプの無線アクセス技術を使用してアクセス端末と通信することとを伴う。
【００１７】
本開示のこれらおよび他の例示的な態様について、以下の発明を実施するための形態および特許請求の範囲、ならびに添付の図面において説明する。
【図面の簡単な説明】
【００１８】
【図１】マルチモードアクセスポイントがアクセス端末にサービスを提供する、通信システムの一例のいくつかの態様の簡略ブロック図。
【図２】異なる無線アクセス技術間の切替えに関連して実行される動作の一例のいくつかの態様のフローチャート。
【図３】異なる無線アクセス技術間の切替えに関連して実行される動作の別の例のいくつかの態様のフローチャート。
【図４】異なる無線アクセス技術間の切替えに関連して実行される動作の別の例のいくつかの態様のフローチャート。
【図５】通信装置において採用され得る構成要素のいくつかの例示的な態様の簡略ブロック図。
【図６】マルチモードアクセスポイントにおいて採用され得る構成要素のいくつかの例示的な態様の簡略ブロック図。
【図７】ワイヤレス通信システムの簡略図。
【図８】フェムトノードを含むワイヤレス通信システムの簡略図。
【図９】ワイヤレス通信のためのカバレージエリアを示す簡略図。
【図１０】通信構成要素のいくつかの例示的な態様の簡略ブロック図。
【図１１】本明細書で教示する、マルチモード通信をサポートするように構成される装置のいくつかの例示的な態様の簡略ブロック図。
【００１９】
慣例により、図面に示す様々な特徴は一定の縮尺で描かれていないことがある。したがって、様々な特徴の寸法は、わかりやすいように任意に拡大または縮小されることがある。さらに、図面のいくつかは、わかりやすいように簡略化されることがある。したがって、図面は、所与の装置（たとえば、デバイス）または方法の構成要素のすべてを示しているとは限らないことがある。最後に、明細書および図の全体にわたって、同じ特徴を示すために同じ参照番号が使用されることがある。
【発明を実施するための形態】
【００２０】
本開示の様々な態様について以下で説明する。本明細書の教示は多種多様な形態で実施され得、本明細書で開示されている特定の構造、機能、またはその両方は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載した態様をいくつ使用しても、装置を実装し得るか、または方法を実施し得る。さらに、本明細書に記載した態様のうちの１つまたは複数に加えて、あるいはそれら以外の他の構造、機能、または構造および機能を使用して、そのような装置を実装し得るか、またはそのような方法を実施し得る。さらに、態様は、請求項の少なくとも１つの要素を備え得る。
【００２１】
図１に、例示的な通信システム１００（たとえば、ワイヤレス通信ネットワーク）のいくつかのノードを示す。説明のために、本開示の様々な態様について、互いに通信する１つまたは複数のアクセス端末、アクセスポイント、およびネットワークエンティティのコンテキストで説明する。ただし、本明細書の教示は、他の用語を使用して参照される他のタイプの装置または他の同様の装置に適用可能であり得ることを諒解されたい。たとえば、様々な実装形態では、アクセスポイントは、基地局、ノードＢ、ｅノードＢ、ホームノードＢ、ホームｅノードＢ、マクロセル、フェムトセルなどと呼ばれることがあり、または基地局、ノードＢ、ｅノードＢ、ホームノードＢ、ホームｅノードＢ、マクロセル、フェムトセルなどとして実装されることがあり、アクセス端末は、ユーザ機器（ＵＥ）、モバイルなどと呼ばれることがあり、またはユーザ機器（ＵＥ）、モバイルなどとして実装されることがある。
【００２２】
システム１００中のアクセスポイントは、システム１００のカバレージエリア内に設置され得るか、またはシステム１００のカバレージエリア全体にわたってローミングし得る、１つまたは複数のワイヤレス端末（たとえば、アクセス端末１０２、１０４、および１０６）に１つまたは複数のサービスへのアクセス（たとえば、ネットワーク接続性）を与える。たとえば、様々な時点において、アクセス端末１０２は、アクセスポイント１０８、アクセスポイント１１０、アクセスポイント１１２、またはシステム１００中の何らかのアクセスポイント（図示せず）に接続し得る。同様に、様々な時点において、アクセス端末１０４および／またはアクセス端末１０６は、これらのアクセスポイントのうちの１つに接続し得る。
【００２３】
システム１００のアクセスポイントは、同じまたは異なる無線アクセス技術（ＲＡＴ）を採用し得る。たとえば、アクセスポイント１１０および１１２は、異なるＲＡＴをサポートし得る。しかしながら、アクセスポイント１０８は、アクセスポイント１１０によってサポートされるＲＡＴとアクセスポイント１１２によってサポートされるＲＡＴとをサポートし得る。
【００２４】
線１３４と線１３６とによって簡略化された方法で表されるように、アクセスポイントの各々は、ワイドエリアネットワーク（ＷＡＮ）接続性を可能にするために、互いを含む、（便宜上、ネットワークエンティティ１１４によって表される）１つまたは複数のネットワークエンティティとの様々な通信リンクを介して通信し得る。一般に、そのようなＷＡＮリンクは、バックホールリンクまたは単にバックホールと呼ばれる。
【００２５】
ネットワークエンティティは、たとえば、１つまたは複数の無線および／またはコアネットワークエンティティなどの様々な形態をとり得る。したがって、様々な実装形態では、ネットワークエンティティは、（たとえば、運用、アドミニストレーション、管理、およびプロビジョニングエンティティによる）ネットワーク管理、呼制御、セッション管理、モビリティ管理、ゲートウェイ機能、インターワーキング機能、無線リソース管理のうちの少なくとも１つなどの機能、または何らかの他の好適なネットワーク機能を表し得る。また、これらのネットワークエンティティの２つ以上がコロケートされ得、および／または、これらのネットワークエンティティの２つ以上がネットワーク全体にわたって分散され得る。（たとえば、ＲＡＴ内および／またはＲＡＴ間で）他のネットワークエンティティと通信するための様々な通信技術が、所与のネットワークエンティティによって採用され得る。さらに、ネットワークエンティティは、セッション開始プロトコル（ＳＩＰ）ベースの回線交換ネットワーク、インターオペラビリティ仕様（ＩＯＳ）ベースの回線交換ネットワーク、パケット交換ネットワーク、または何らかの他の好適なワイヤレス通信ネットワークの一部を備え得る。
【００２６】
システム１００中のアクセスポイント（たとえば、アクセスポイント１０８）のいくつかは低電力アクセスポイントを備え得る。低電力アクセスポイントは、所与のカバレージエリア中のどのマクロアクセスポイントの最大送信電力よりも（たとえば、１桁だけ）小さい最大送信電力を有する。いくつかの実施形態では、フェムトセルなど低電力アクセスポイントは、２０ｄＢｍ以下の最大送信電力を有し得る。いくつかの実施形態では、ピコセルなど低電力アクセスポイントは、２４ｄＢｍ以下の最大送信電力を有し得る。対照的に、マクロセルは、４３ｄＢｍの最大送信電力を有し得る。ただし、これらまたは他のタイプの低電力アクセスポイントは、他の実施形態では、より高いまたはより低い最大送信電力を有し得ることを諒解されたい。便宜上、以下の説明では、低電力アクセスポイントをフェムトセルまたはフェムトアクセスポイントと呼ぶことがある。したがって、本明細書では、フェムトセルまたはフェムトアクセスポイントに関係する説明は、概して、低電力アクセスポイントまたは他のタイプのアクセスポイントに等しく適用可能であり得ることを諒解されたい。
【００２７】
本明細書の教示によれば、アクセスポイント１０８はマルチモード通信をサポートする。この目的で、アクセスポイント１０８は、様々なタイプの無線アクセス技術（ＲＡＴ）を採用する異なるワイヤレスアクセスモードをサポートするいくつかのワイヤレスアクセス構成要素を含む。詳細には、ワイヤレスアクセス構成要素１１６は、第１のタイプのＲＡＴ（たとえば、ＷＷＡＮ技術）をサポートし、ワイヤレスアクセス構成要素１１８は、第２のタイプのＲＡＴ（たとえば、Ｗｉ−Ｆｉ）をサポートし、（ワイヤレスアクセス構成要素１２０によって表される）他のワイヤレスアクセス構成要素は、最高「Ｎ」個の他のタイプの無線アクセス技術をサポートする。
【００２８】
また、システム１００中のアクセス端末のうちの１つまたは複数は、マルチモード通信をサポートする。たとえば、アクセス端末１０２は、異なるＲＡＴを採用する異なるワイヤレスアクセスモードをサポートするいくつかのワイヤレスアクセス構成要素を含む。この例では、ワイヤレスアクセス構成要素１２２は、第１のタイプのＲＡＴ（たとえば、ＷＷＡＮ技術）をサポートし、ワイヤレスアクセス構成要素１２４は、第２のタイプのＲＡＴ（たとえば、Ｗｉ−Ｆｉ）をサポートする。アクセス端末１０２はまた、１つまたは複数の指定された基準に基づいて、アクセスポイントと通信するための無線アクセス技術のうちの１つを選択するＲＡＴ選択構成要素１２６を含む。たとえば、上記で説明したように、Ｗｉ−Ｆｉサービスが検出され、アクセス端末１０２のディスプレイがオンにされたときはいつでも、Ｗｉ−Ｆｉが選択され得る。
【００２９】
アクセスポイント１０８はまた、マルチモードアクセス端末（たとえば、アクセス端末１０２）をサービスするために使用されているＲＡＴを切り替えるべきかどうかを判断するＲＡＴ選択構成要素１２８含む。すなわち、選択構成要素１０２は、マルチモードアクセス端末を、あるタイプのＲＡＴから別のタイプのＲＡＴにリダイレクトするためのアクションをとり得る。
【００３０】
別のＲＡＴに切り替えるという決定は、いくつかの態様では、ＲＡＴおよび／またはバックホールのうちの１つまたは複数に関連するトラフィック状態に基づき得る。この目的で、ＲＡＴ選択構成要素１２８は、そのようなトラフィック状態を示すインジケーション１３０を判断し、維持し得る。たとえば、ワイヤレス通信を介して収集された情報に基づいて（たとえば、システム１００のアクセス端末および／またはアクセスポイントによって送信された信号に基づいて）および／またはバックホール通信（たとえば、バックホールリンク１３４を介した通信）を介して収集された情報に基づいてインジケーションが判断され得る。
【００３１】
別のＲＡＴに切り替えるという決定は、いくつかの態様では、アクセス端末によって要求されたサービスのタイプ（たとえば、ストリーミング、ウェブブラウジング、ボイス呼など）に基づき得る。したがって、ＲＡＴ選択構成要素１２８はまた、そのようなサービスを示すインジケーション１３２を（たとえば、ワイヤレスおよび／またはバックホール通信を介して収集された情報に基づいて）判断し、維持し得る。場合によっては、要求されたサービスのタイプは、トラフィックの特定のタイプに対応する。したがって、別のＲＡＴに切り替えるという決定は、アクセスポイントとアクセス端末との間の通信のために使用されるトラフィックのタイプに基づき得る。
【００３２】
アクセスポイント１０８は、異なる実装形態では異なる形態をとる。いくつかの実装形態では、アクセスポイント１０８は単一のデバイスを備える。たとえば、アクセスポイント１０８は、ワイヤレスワイドエリアネットワーク（ＷＷＡＮ）サービス（たとえば、ｃｄｍａ２０００、ＧＳＭ（登録商標）、ＵＭＴＳ、ＬＴＥなどに基づくセルラーサービス）と少なくとも１つの他のタイプのワイヤレスサービス（たとえば、Ｗｉ−Ｆｉ、ＷｉＭＡＸなど）とを提供するフェムトセルを備え得る。他の実装形態では、アクセスポイント１０８は、各々が異なるタイプのＲＡＴをサポートし得る複数のコロケートデバイスを備える。たとえば、１つのデバイスはＷＷＡＮサービスを提供し得るが、少なくとも１つの他のデバイスは、少なくとも１つの他のタイプのワイヤレスサービスを提供する。ワイヤレスサービスの異なる組合せおよび／または異なる数のデバイスが、本明細書の教示に一致する他の実施形態において採用され得ることを諒解されたい。
【００３３】
マルチモードアクセスポイントがコロケートデバイスを備える場合、概して、異なるデバイスが、（たとえば、デバイスのうちの少なくとも１つのカバレージに関して重複する）匹敵するカバレージエリアを与えることが望ましい。このようにして、アクセス端末があるＲＡＴから別のＲＡＴに切り替えられ得ることが保証され得る。この目的で、コロケートデバイスは、典型的な実装形態では互いの約２メートル以内に配置される。
【００３４】
さらに、コロケートデバイスは、ポイントツーポイント通信を介して互いと通信する。たとえば、ポイントツーポイント通信は、プロセス間通信、ローカルエリアネットワークサブネット通信、またはローカルバス（たとえば、ＵＳＢ）通信を備え得る。
【００３５】
次に、本明細書の教示に従って採用され得る例示的な動作について、図２〜図４のフローチャートに関してより詳細に説明する。便宜上、図２〜図４の動作（または、本明細書で説明または教示する他の動作）については、特定の構成要素（たとえば、図１、図５、図６などの構成要素）によって実行されるものとして説明することがある。ただし、これらの動作は、他のタイプの構成要素によって実行され、異なる数の構成要素を使用して実行され得ることを諒解されたい。また、本明細書で説明する動作のうちの１つまたは複数は、所与の実装形態では採用されないことがあることを諒解されたい。
【００３６】
最初に図２を参照すると、このフローチャートには、アクセス端末と通信するときのＲＡＴ間の切替えの概観が示されている。
【００３７】
マルチモードアクセスポイント（たとえば、Ｗｉ−Ｆｉ機能をもつフェムトセル）は、アクセス端末を別のＲＡＴにリダイレクトすべきかどうかを決定するための基礎として使用され得る様々なタイプの情報へのアクセスを有する。この情報は、アクセス端末がアクセスポイントとの通信を確立する前および／または確立した後に収集され得る。有利には、この情報はアクセスポイントにとってすぐに利用可能になり得、アクセスポイントは通常作動の過程で情報を収集し得る。したがって、本明細書の教示に基づくＲＡＴ切替え方式は、ＲＡＴをいつ切り替えるべきかを判断するための情報を（たとえば、アクセス端末において）収集するために実行されるべき余分の測定および／または他の動作を必要とするＲＡＴ切替え方式よりも効率的であり得る。
【００３８】
ブロック２０２によって表されるように、様々な時点において、アクセスポイントは、アクセスポイントによってサポートされる異なるＲＡＴに関連するトラフィック状態を示す情報、バックホールに関連するトラフィック状態を示す情報、１つまたは複数のアクセス端末に提供されるべきサービスタイプを示す情報、または異なるＲＡＴに切り替えるべきかどうかを判断するために使用される何らかの他のタイプの情報のうちの１つまたは複数を収集し得る。
【００３９】
場合によっては、収集された情報はトラフィック輻輳を示す。ここで収集される情報のタイプは、トラフィックのための通信リンク（たとえば、ＲＡＴまたはバックホール）のタイプに依存し得る。
【００４０】
ＲＡＴがＷｉ−Ｆｉ技術である場合、以下で説明するファクタのうちの１つまたは複数がＷｉ−Ｆｉチャネル上の輻輳を示し得る。以下でより詳細に説明するように、アクセスポイントは、Ｗｉ−Ｆｉチャネル上に輻輳がある場合、Ｗｉ−Ｆｉ技術からアクセス端末をリダイレクトすることを選択し得る。
【００４１】
アクセスポイントが動作しているＷｉ−Ｆｉチャネルに関連する高いＲＳＳＩは、場合によっては（たとえば、アクセスポイントが、そのチャネル上のアクセス端末と通信していない場合）、トラフィック輻輳を示す。したがって、アクセスポイント（たとえば、Ｗｉ−Ｆｉトランシーバ）は、経時的にチャネル上の受信信号強度を測定し、測定された受信信号強度を示す情報（たとえば、ＲＳＳＩ値）を維持し得る。
【００４２】
Ｗｉ−Ｆｉチャネル上での低いスループットは、そのチャネル上の輻輳を示し得る。したがって、アクセスポイントは、経時的にスループット（たとえば、アップリンクおよび／またはダウンリンクスループット）を測定し、このスループットの記録を維持し得る。追加または代替として、アクセスポイントは、そのような情報を監視するアクセス端末からスループット情報を受信し得る。たとえば、アクセス端末は、アプリケーションレイヤメッセージを介してこの情報をアクセスポイントに送り得る。
【００４３】
また、Ｗｉ−Ｆｉチャネル上の多数のアクティブなデバイスの存在は、そのチャネル上のトラフィック輻輳を示し得る。したがって、アクセスポイントは、経時的にアクティブなデバイスの数を追跡し得る。
【００４４】
Ｗｉ−Ｆｉチャネル上で観測される送信要求（ＲＴＳ）、送信可（ＣＴＳ）メッセージ、または他のタイプのアクセスメッセージの高い割合は、トラフィック輻輳を示し得る。したがって、アクセスポイントは、ある時間期間にわたってＷｉ−Ｆｉチャネルを監視し、その時間期間にわたって検出されたメッセージの数の記録を維持し得る。ここで、アクセスポイントは、アクセスポイントに接続されたデバイスからのメッセージおよび／またはアクセスポイントに接続されていないデバイスからのメッセージを追跡し得る。
【００４５】
また、リンク状態情報はトラフィック輻輳を示し得る。たとえば、使用され得る別のインジケーションは、変調およびコーディング方式（ＭＣＳ：Modulation and Coding Scheme）インデックスである。低いＭＣＳは、アクセス端末に対するリンク状態が（たとえば、干渉により）良好ではなく、アクセス端末はセルラー上にあるほうがよい可能性があることを示す。
【００４６】
Ｗｉ−Ｆｉチャネル上での高いパケットロス率は、そのチャネル上の輻輳を示し得る。ここで、アクセスポイントは、経時的にロストパケットを識別し、パケットロス率の記録を維持し得る。追加または代替として、アクセスポイントは、そのような情報を維持するアクセス端末からパケットロス率情報を受信し得る。
【００４７】
アクセスポイントにおける大きいダウンリンクバッファは、Ｗｉ−Ｆｉチャネル上のトラフィック輻輳を示し得る。すなわち、バッファ中のデータが十分なレートで送出され得ない場合、アクセスポイントにおける（１つまたは複数の）ダウンリンクバッファは一杯になる傾向があり得る。したがって、アクセスポイントは、経時的にバッファステータスの記録を維持し得る。追加または代替として、アクセスポイントは、アップリンクについてのそのような情報を維持するアクセス端末からバッファステータス情報を受信し得る。
【００４８】
アクセスポイントが多数のＩＰアドレスを割り当てた場合、このファクタはＷｉ−Ｆｉチャネル上のトラフィック輻輳を示し得る。ここで、多数のＩＰアドレスの割当ては、多数のＷｉ−Ｆｉデバイスがチャネルを使用していること、および／または多数のアプリケーションがチャネルを使用していることを示し得る。したがって、アクセスポイントは、経時的に、割り当てられたＡＰアドレスの数の記録を維持し得る。
【００４９】
ＲＡＴが（たとえば、フェムトセルによって与えられた）セルラー技術である場合、以下で説明するファクタのうちの１つまたは複数がチャネル上の輻輳を示し得る。以下でより詳細に説明するように、アクセスポイントは、ターゲットセルラーチャネル上に輻輳がある場合、アクセス端末をセルラー技術にリダイレクトしないことを選択し得る。
【００５０】
セルラーチャネル（たとえば、フェムトチャネル）上での高いアップリンク干渉は、そのチャネル上の輻輳を示し得る。アクセスポイントは、たとえば、アップリンクチャネル上のチャネル品質（たとえば、ＲＳＳＩ）を監視するネットワークリッスンモジュール（ＮＬＭ）の使用によって、この干渉を判断し得る。
【００５１】
セルラーチャネル上での低いスループットは、そのチャネル上の輻輳を示し得る。したがって、アクセスポイントは、経時的にスループット（たとえば、アップリンクおよび／またはダウンリンクスループット）を測定し、このスループットの記録を維持し得る。追加または代替として、アクセスポイントは、そのような情報を監視するアクセス端末からスループット情報を受信し得る。たとえば、アクセス端末は、アプリケーションレイヤメッセージを介してこの情報をアクセスポイントに送り得る。
【００５２】
また、セルラーチャネル上の多数のアクティブなデバイスの存在は、そのチャネル上のトラフィック輻輳を示し得る。したがって、アクセスポイントは、経時的にアクティブなデバイスの数を追跡し得る。
【００５３】
アクセスポイントにおけるダウンリンクスケジューラのための大きい待ち行列は、セルラーチャネル上のトラフィック輻輳を示し得る。すなわち、待ち行列中のデータが十分なレートで送出され得ない場合、アクセスポイントにおける１つまたは複数のダウンリンク待ち行列は一杯になる傾向があり得る。したがって、アクセスポイントは、経時的に待ち行列ステータスの記録を維持し得る。追加または代替として、アクセスポイントは、アップリンクについてのそのような情報を維持するアクセス端末から待ち行列ステータス情報を受信し得る。
【００５４】
アクセスポイントが多数の接続を確立した場合、このファクタは、セルラーチャネル上のトラフィック輻輳を示し得る。ここで、多数の接続の存在は、多数のセルラーデバイスがチャネルを使用していること、および／または多数のアプリケーションがチャネルを使用していることを示し得る。したがって、アクセスポイントは、経時的に、確立された接続の数の記録を維持し得る。
【００５５】
バックホールについては、以下で説明するファクタのうちの１つまたは複数が輻輳を示し得る。以下でより詳細に説明するように、アクセスポイントは、バックホール上に輻輳があるかどうかに基づいて、アクセス端末を異なるタイプのＲＡＴにリダイレクトすべきかどうかを決定し得る。たとえば、バックホールがボトルネックである場合、性能の増加は、ＲＡＴを切り替えることによって達成されないことがある。したがって、バックホール輻輳が高い場合、リダイレクションは開始されないことがある。代替的に、１つまたは複数の異なるバックホールを有する別のアクセスポイントへのリダイレクションが開始され得る（たとえば、アクセス端末はマクロ基地局にリダイレクトされ得る）。
【００５６】
アグリゲートセルラーおよびＷｉ−Ｆｉスループットがバックホール上の利用可能な帯域幅に近接している場合、バックホール輻輳が示され得る。したがって、アクセスポイントは、経時的にアグリゲートセルラーおよびＷｉ−Ｆｉスループットを監視し得る。
【００５７】
アクセスポイントは、バックホール上の輻輳と利用可能な帯域幅とを検出するためにバックホールプロービングを実行し得る。たとえば、アクセスポイントは、輻輳および／または帯域幅を測定するために、応答時間、ダウンロード時間、アップロード時間、または他のファクタを監視し得る。
【００５８】
アクセスポイントは、バックホールを介して輻輳情報を含むパケットを受信し得る。たとえば、いくつかのタイプのパケットは、設定されたとき、バックホール上の輻輳の存在を示す明示的輻輳通知（ＥＣＮ：explicit congestion notification）ビットを含み得る。
【００５９】
バックホール上での高いパケットロス率はバックホール輻輳を示し得る。ここで、アクセスポイントは、経時的にロストパケットを識別し、パケットロス率の記録を維持し得る。追加または代替として、アクセスポイントは、バックホールを介してアクセスポイントからパケットを受信し、パケットロス率を示す情報を維持する、ネットワークエンティティからパケットロス率情報を受信し得る。
【００６０】
再び図２を参照すると、ブロック２０４からブロック２０２への線２１４によって表されるように、アクセスポイントは、アクセス端末との通信が確立されるより前に、経時的に情報を収集し続け得る。
【００６１】
ブロック２０４および２０６によって表されるように、アクセス端末との通信が確立された（たとえば、アクセス端末が第１のＲＡＴを介して通信を開始した）場合、アクセスポイントは、アクセス端末との通信のために異なるＲＡＴに切り替えるべきかどうかを判断する。
【００６２】
ブロック２０６における切り替えるべきかどうかの判断は、（たとえば、アクセス端末との通信が確立される前および／または確立された後に）ブロック２０２において収集された情報に基づく。たとえば、収集されたファクタのうちの１つまたは複数が、対応するしきい値（たとえば、しきい値ＲＳＳＩレベル、しきい値スループットレベルなど）と比較され得る。この１つまたは複数の比較に基づいて、アクセス端末が別のＲＡＴにリダイレクトされるかどうかに関する決定が行われる。
【００６３】
リダイレクションがインジケートされない場合、動作フローは、続いてブロック２０２に戻り、アクセスポイントは、ブロック２０６における後続の切替え決定において使用される情報を収集し続ける。場合によっては、アクセス端末との通信が確立された後、追加情報が収集され得る。たとえば、アクセスポイントは、アクセス端末によって要求されたサービスのタイプを示す（したがって、チャネル上で搬送されるべきトラフィックのタイプを示す）情報を収集し得る。そのような場合、ブロック２０６の決定は、サービス（またはトラフィック）のタイプに基づき得る。たとえば、アクセス端末が高帯域コンテンツをストリーミングしている場合、アクセスポイントは、ストリーミングが事業者のネットワークから発信されていない限り、アクセス端末をＷｉ−Ｆｉサービス上に残すことを選択し得、ストリーミングが事業者のネットワークから発信されている場合、アクセス端末はセルラーサービス上に残され得る。アクセス端末がＶｏＩＰを使用している場合、アクセスポイントは、アクセス端末を、利用可能な最も信頼できるサービス（たとえば、セルラーサービス）にリダイレクトし得る。また、アクセスポイントが維持タスク（たとえば、キープアライブ）を実行している場合、アクセスポイントは、アクセス端末を、よりバッテリー効率的なサービス（たとえば、セルラーサービス）にリダイレクトし得る。アクセス端末がウェブブラウズしている場合、アクセスポイントは、アクセス端末を任意の利用可能なサービス上に置き得る。
【００６４】
ＲＡＴを切り替えるという決定がブロック２０６において行われた場合、動作フローはブロック２０８〜２１２に進む。ブロック２０８によって表されるように、いくつかの実装形態では、アクセスポイントは、切替えを開始する前に、アクセス端末が非アクティブになる（たとえば、Ｗｉ−Ｆｉチャネル上にユーザトラフィックがなくなる）まで待つ。
【００６５】
ブロック２１０によって表されるように、アクセスポイントは、アクセス端末を、あるＲＡＴ（たとえば、Ｗｉ−Ｆｉ）から別のＲＡＴ（たとえば、セルラー）にリダイレクトする。この動作は、異なる実装形態では異なる方法で行われ得る。たとえば、上記で説明したように、これは、ＩＰアドレスを取り消すこと、ＳＳＩＤを無効化すること、ＭＡＣアドレスに関連するトラフィックをフィルタ処理すること、またはアクセス端末上のアプリケーションに（たとえば、現在のＲＡＴを介して）メッセージを送ることを伴い得る。これらの場合のいずれでも、アクセス端末は、異なるＲＡＴを使用してアクセスポイントとの通信を再確立することを試みる。
【００６６】
したがって、ブロック２１２によって表されるように、アクセスポイントは、次いで、指定されたＲＡＴを使用してアクセス端末との通信を確立する。たとえば、アクセスポイントは、セルラーチャネル上のアクセス端末から接続要求を受信し得る。いくつかの実装形態では、指定されたＲＡＴは、元のＲＡＴとは異なるデータレートをサポートし得る。
【００６７】
図２中の線２１６によって表されるように、アクセスポイントは、アクセス端末との新しい通信が確立された後、情報を収集し続ける。このようにして、アクセスポイントは、アクセス端末が元のＲＡＴにリダイレクトされるべきかどうか（たとえば、Ｗｉ−Ｆｉチャネル上の輻輳が減少したかどうか）を後で判断するために、トラフィック輻輳および／または他の状態を監視し得る。ここで、後続のリダイレクションは、最初のリダイレクションを起動した動作を逆転させることを単に伴い得る。したがって、これは、たとえば、アクセス端末にＩＰアドレスを与えること、ＳＳＩＤのブロードキャストを再開すること、ＭＡＣアドレスに関連するトラフィックの処理を再開すること、またはアクセス端末上のアプリケーションに、元のＲＡＴへの切替えを要求するメッセージを送ることを伴い得る。
【００６８】
次に図３を参照すると、このフローチャートには、アクセス端末と通信するときのＲＡＴ間の切替えのいくつかの他の態様が記載されている。説明のために、これらの動作について、Ｗｉ−Ｆｉサービスとセルラーサービスとをサポートするマルチモードアクセスポイントのコンテキストで説明する。ただし、開示する動作は、他のタイプのＲＡＴにも適用可能であり得ることを諒解されたい。
【００６９】
ブロック３０２によって表されるように、ある時点において、マルチモードアクセス端末は、マルチモードアクセスポイントのカバレージエリアに入り、（たとえば、Ｗｉ−Ｆｉチャネル上で）アクセスポイントとの通信を開始する。この時点で、アクセスポイントおよびアクセス端末は、互いの機能を学習し得る。したがって、各デバイスは、他のデバイスのマルチモード特性を検出する。
【００７０】
ブロック３０４によって表されるように、アクセス端末のためにサービスを開始することに関連して、アクセスポイントは、アクセス端末に１つまたは複数のＩＰアドレスを割り振り得る。たとえば、アクセスポイントのＷｉ−Ｆｉ構成要素は、Ｗｉ−Ｆｉチャネルを介した通信のためのＩＰアドレスを割り当てる。さらに、アクセスポイントがローカルＩＰアクセス（ＬＩＰＡ）をサポートする場合、アクセスポイントは、アクセス端末に、セルラーチャネルを介してこのサービスにアクセスするためのＩＰアドレスを割り振り得る。
【００７１】
いくつかの実装形態では、ＩＰ接続がＷｉ−Ｆｉからセルラーへの切替えまたはその逆によって切断される可能性を低減するために、アクセスポイントは、Ｗｉ−Ｆｉとセルラーの両方に同じＩＰアドレスを割り振り得る。たとえば、ＩＰアドレス変更に耐えられないアプリケーションへの割込みを防ぐために、所与のアクセス端末のためにＷｉ−ＦｉモードとローカルＩＰアクセスモードの両方に同じローカルＩＰアドレスが割り当てられ得る。ローカルＩＰアクセスは、Ｗｉ−Ｆｉモードが無効化される前または無効化された後に確立され得る。
【００７２】
ブロック３０６によって表されるように、ある時点において、アクセス端末が別のＲＡＴにリダイレクトされるべきどうかに関する判断を行う。いくつかの実装形態では、この判断は、図２に関連して上記で説明した基準のうちの１つまたは複数のみに基づいて行われる。
【００７３】
他の実装形態では、ブロック３０６の判断は、アクセスポイントによってサービスされている他のアクセス端末の機能を考慮に入れる。たとえば、いくつかのアクセス端末はセルラーインターフェースのみを有し得る（たとえば、Ｗｉ−Ｆｉアクセスはサポートされない）。この場合、Ｗｉ−Ｆｉアクセスをサポートするマルチモードアクセス端末は、Ｗｉ−Ｆｉトラフィック状態が比較的不十分な場合でも、ＩＰアクセスのためにＷｉ−Ｆｉアクセスモードを使用するために、アクセスポイントによってリダイレクトされ得る。
【００７４】
さらに他の実装形態では、ブロック３０６の判断は、アクセス端末のアプリケーションのトラフィック要件を考慮に入れる。たとえば、アクセス端末から（たとえば、近くのテレビジョンなどへ）のＤＬＮＡ（登録商標）ストリーミングをサポートするために、アクセスポイントは、ＤＬＮＡプロキシを与え、アクセス端末によって送信されたＤＬＮＡ通知パケット（advertisement packets）に基づいて、アクセス端末のＤＬＮＡ機能を学習するためのアクションをとり得る。アクセスポイントは、次いで、ストリーミングが必要とされるとき、Ｗｉ−Ｆｉアクセスモードをアクティブにするようにアクセス端末をトリガし得る。他の場合、アクセスポイントは、アクセス端末がアイドルであるときはいつでも、アクセス端末がセルラーアクセスモードにとどまることを可能にし得る。いくつかの態様では、ＤＬＮＡプロキシオーバセルラーアクセスモードは、Ｗｉ−Ｆｉアクセスモードにおけるバッテリー消費量とＤＬＮＡのためのキープアライブ動作の頻度とを低減するのを助け得る。
【００７５】
図４のフローチャートには、たとえば、本明細書の教示によるマルチモードアクセスポイントによって実行され得る様々な動作が記載されている。
【００７６】
ブロック４０２によって表されるように、アクセス端末との通信は、初めに第１のタイプの無線アクセス技術を使用する。たとえば、アクセス端末は、Ｗｉ−Ｆｉチャネル上でマルチモードアクセスポイントとの通信を開始し得る。
【００７７】
ブロック４０４によって表されるように、第１のタイプの無線アクセス技術に関連するトラフィック状態を示す少なくとも１つのインジケーションを判断する。本明細書で説明するように、場合によっては、少なくとも１つのインジケーションは、第１のタイプの無線アクセス技術を使用してアクセスポイントとアクセス端末との間に確立された通信チャネルが輻輳しているかどうかを示す。場合によっては、少なくとも１つのインジケーションは、スループット、干渉、アクティブなデバイスの数、ＲＳＳＩ、送信されたアクセスメッセージ（たとえば、ＲＴＳ／ＣＴＳ）の量、バッファステータス、パケットロス率、または（たとえば、上記のブロック２０２に関連する）本明細書で説明する他のファクタのうちの少なくとも１つを備える。
【００７８】
ブロック４０６によって表されるように、いくつかの実装形態では、アクセスポイントのためのワイドエリアネットワーク（ＷＡＮ）通信リンクに関連するトラフィック状態を示す少なくとも１つの第２のインジケーションを判断する。場合によっては、ＷＡＮ通信リンクは、アクセスポイントのための少なくとも１つのバックホールリンクを備える。したがって、少なくとも１つの第２のインジケーションは、少なくとも１つのバックホールリンクが、アクセスポイントによってサービスされる通信に対するボトルネックであるかどうかを示し得る。
【００７９】
ブロック４０８によって表されるように、いくつかの実装形態では、第２のタイプの無線アクセス技術に関連するトラフィック状態を示す少なくとも１つの第３のインジケーションを判断する。たとえば、アクセス端末が輻輳したチャネルにリダイレクトされないように、セルラーチャネルが輻輳しているかどうかに関する判断が行われ得る。
【００８０】
ブロック４１０によって表されるように、いくつかの実装形態では、アクセス端末によって使用される少なくとも１つのサービスを識別する。たとえば、上記で説明したように、アクセス端末によって要求されるサービスのタイプは、アクセス端末を異なるＲＡＴにリダイレクトすべきかどうかを決定する際のファクタになり得る。
【００８１】
ブロック４１２によって表されるように、ブロック４０４において判断された（１つまたは複数の）インジケーションに基づいて、第１のタイプの無線アクセス技術の代わりに第２のタイプの無線アクセス技術に切り替えるという判断を行う。この判断は、たとえば、図２に関連して（たとえば、ブロック２０６において）上記で説明した基準のうちの１つまたは複数に基づいて行われ得る。したがって、様々な実装形態では、第２のタイプの無線アクセス技術に切り替えるという判断は、ブロック４０６において判断された（１つまたは複数の）第２のインジケーション、ブロック４０８において判断された（１つまたは複数の）第３のインジケーション、またはブロック４１０において識別された（１つまたは複数の）サービスのうちの少なくとも１つにさらに基づき得る。
【００８２】
ブロック４１２によって表されるように、第１のタイプの無線アクセス技術の代わりに第２のタイプの無線アクセス技術を使用する通信を起動する。（たとえば、ブロック２１０において）上記で説明したように、この動作は、異なる実装形態では異なる方法で達成され得る。たとえば、アクセス端末は、第１のタイプのワイヤレス通信を使用する通信のための、アクセス端末に関連するＩＰアドレスを取り消すことによって、第２のタイプの無線アクセス技術にリダイレクトされ得る。別の例として、第１のタイプの無線アクセス技術を使用する通信のための、アクセスポイントによって通知された（advertized）ＳＳＩＤが取り消され得る。ここで、無効化されたＳＳＩＤは、第１のタイプの無線アクセス技術のための、アクセスポイントによって通知された複数のＳＳＩＤのうちの１つであり得る。さらに別の例として、アクセス端末は、トラフィックが、アクセス端末に割り当てられたＭＡＣアドレスに関連する場合、第１のタイプのワイヤレス通信を介して送られたトラフィックをフィルタ処理することによって、第２のタイプの無線アクセス技術にリダイレクトされ得る。さらに、リダイレクションは、アクセス端末（たとえば、図１の構成要素１２６）に、指定されたＲＡＴに切り替えるようにアクセス端末をトリガするためのメッセージを送ることによって達成され得る。
【００８３】
ブロック４１６によって表されるように、第２のタイプの無線アクセス技術に切り替えるという判断の結果として、アクセス端末との通信は、次に第２のタイプの無線アクセス技術を使用する。たとえば、アクセス端末は、セルラーチャネル上でアクセスポイントと通信し得る。
【００８４】
図５に、本明細書で教示するマルチモード動作を実行するために（たとえば、図１のアクセスポイント１０８に対応する）装置５０２に組み込まれ得る（対応するブロックによって表される）いくつかの例示的な構成要素を示す。これらの構成要素は、異なる実装形態では異なるタイプの装置において（たとえば、ＡＳＩＣにおいて、システムオンチップ（ＳｏＣ）においてなど）実装され得ることを諒解されたい。説明する構成要素は、通信システム中の他のノードにも組み込まれ得る。たとえば、システム中の他のノードは、同様の機能を与えるために、装置５０２に関して説明する構成要素と同様の構成要素を含み得る。また、所与のノードは、説明する構成要素のうちの１つまたは複数を含み得る。
【００８５】
図５に示すように、装置５０２は、異なる無線アクセス技術を介して他のノード（たとえば、アクセス端末）と通信するための複数のワイヤレス通信デバイス（たとえば、トランシーバ）を含む。図５の例では、装置５０２は、２つのワイヤレス通信デバイス５０４および５０６を含むものとして示されている。しかしながら、異なる実施形態では、異なる数のワイヤレス通信デバイス（たとえば、３つ、４つ、またはそれ以上）が展開され得ることを諒解されたい。また、所与の通信デバイスは、１つのトランシーバまたは（たとえば、異なるキャリア周波数上で通信するための）２つ以上のトランシーバを備え得る。ワイヤレス通信デバイス５０４は、信号（たとえば、メッセージ、情報）を送るための少なくとも１つの送信機５０８と、信号（たとえば、メッセージ、情報）を受信するための少なくとも１つの受信機５１０とを含む。同様に、ワイヤレス通信デバイス５０６は、信号（たとえば、メッセージ、情報）を送るための少なくとも１つの送信機５１２と、信号（たとえば、メッセージ、情報）を受信するための少なくとも１つの受信機５１４とを含む。いくつかの実施形態では、ワイヤレス通信デバイス（たとえば、装置５０２の複数のワイヤレス通信デバイスのうちの１つ）は、ネットワークリッスンモジュールを備える。
【００８６】
装置５０２は、他のノード（たとえば、ネットワークエンティティ）と通信するための少なくとも１つの通信デバイス５１６（たとえば、ネットワークインターフェース）を含む。たとえば、通信デバイス５１６は、ワイヤベースまたはワイヤレスバックホールを介して１つまたは複数のネットワークエンティティと通信するように構成され得る。いくつかの態様では、通信デバイス５１６は、ワイヤベースまたはワイヤレス信号通信をサポートするように構成される（たとえば、送信機および受信機構成要素を含む）トランシーバとして実装され得る。この通信は、たとえば、メッセージ、パラメータ、他のタイプの情報などを送信および受信することを伴い得る。したがって、図５の例では、通信デバイス５１６は、送信機５１８と受信機５２０とを含むものとして示されている。
【００８７】
また、装置５０２は、本明細書で教示するマルチモード動作に関連して使用され得る他の構成要素を含む。たとえば、装置５０２は、マルチモード動作を制御すること（たとえば、トラフィック状態を示すインジケーションを判断すること、別のＲＡＴに切り替えることを判断すること、アクセス端末によって要求されたサービスを識別すること、別のタイプのＲＡＴを使用する通信を起動することなど）に関係する機能を与えることと、他の処理機能を与えることとを行うための処理システム５２２を含む。装置５０２は、情報（たとえば、トラフィック情報、しきい値、パラメータなど）を維持するための（たとえば、メモリデバイスを含む）メモリ構成要素５２４を含む。さらに、装置５０２は、ユーザにインジケーション（たとえば、可聴および／または視覚的インジケーション）を与えること、および／または（たとえば、キーパッド、タッチスクリーン、マイクロフォンなどの感知デバイスをユーザが作動させたときに）ユーザ入力を受信することを行うためのユーザインターフェースデバイス５２６を含む。
【００８８】
便宜上、装置５０２を、本明細書で説明する様々な例において使用され得る構成要素を含むものとして図５に示す。実際には、図示したブロックは、異なる実装形態では異なる機能を有し得る。たとえば、いくつかの実装形態では、ブロック５２２の機能は、アクセス端末のリダイレクションが、ＳＳＩＤを一時的に無効化すること伴う一実施形態と比較して、アクセス端末のリダイレクションが、ＩＰアドレスを取り消すことを伴う一実施形態では異なり得る。
【００８９】
図５の構成要素は様々な方法で実装され得る。いくつかの実装形態では、図５の構成要素は、たとえば、１つまたは複数のプロセッサおよび／または（１つまたは複数のプロセッサを含み得る）１つまたは複数のＡＳＩＣなど、１つまたは複数の回路において実装され得る。ここで、各回路（たとえば、プロセッサ）は、この機能を与えるために回路によって使用される情報または実行コードを記憶するためのデータメモリを使用し、および／または組み込み得る。たとえば、ブロック５０４、５０６、５１６、５２２、５２４、および５２６によって表される機能の一部または全部は、装置の１つまたは複数のプロセッサと、装置のデータメモリとによって（たとえば、適切なコードの実行によって、および／またはプロセッサ構成要素の適切な構成によって）実装され得る。
【００９０】
上述のように、いくつかの実施形態では、アクセスポイントは、共通の（すなわち、同じ）デバイスには実装されない複数のコロケート構成要素を備える。図６に、（たとえば、異なるハウジングに組み込まれた）複数のデバイスを採用する（たとえば、図１のアクセスポイント１０８に対応する）アクセスポイント６０２に組み込まれ得る（対応するブロックによって表される）いくつかの例示的な構成要素を示す。これらの構成要素は、異なる実装形態では異なるタイプの装置において（たとえば、異なるＡＳＩＣにおいて、異なるＳｏＣにおいてなど）実装され得ることを諒解されたい。説明する構成要素は、通信システム中の他のノードにも組み込まれ得る。また、所与のノードは、説明する構成要素のうちの１つまたは複数を含み得る。
【００９１】
図６に示すように、アクセスポイント６０２は複数のデバイスを含む。この例では、アクセスポイント６０２は、２つのデバイス６０４および６０６を含むものとして示されている。しかしながら、異なる実施形態では、異なる数のデバイス（たとえば、３つ、４つ、またはそれ以上）が展開され得ることを諒解されたい。
【００９２】
デバイス６０４および６０６の各々は、指定された無線アクセス技術を介して他のノードと通信するために少なくとも１つのワイヤレス通信デバイス（たとえば、トランシーバ）を含む。図６の例では、デバイス６０４はワイヤレス通信デバイス６０８を含み、デバイス６０６はワイヤレス通信デバイス６１０を含む。したがって、アクセスポイント６０２は、この例では２つのワイヤレス通信デバイスを含む。しかしながら、異なる実施形態では、異なる数のワイヤレス通信デバイス（たとえば、３つ、４つ、またはそれ以上）が展開され得ることを諒解されたい。
【００９３】
典型的な実装形態では、異なるデバイス６０４および６０６は、異なるタイプのＲＡＴのための構成要素（たとえば、基地局）を含む。たとえば、例示的な実装形態では、ワイヤレス通信デバイス６０８はフェムトセルを備え、ワイヤレス通信デバイス６１０はＷｉ−Ｆｉ基地局を備える。
【００９４】
所与のワイヤレス通信デバイスは、１つのトランシーバまたは（たとえば、異なるキャリア周波数上で通信するための）２つ以上のトランシーバを備え得る。ワイヤレス通信デバイス６０８は、信号（たとえば、メッセージ、情報）を送るための少なくとも１つの送信機６１２と、信号（たとえば、メッセージ、情報）を受信するための少なくとも１つの受信機６１４とを含む。同様に、ワイヤレス通信デバイス６１０は、信号（たとえば、メッセージ、情報）を送るための少なくとも１つの送信機６１６と、信号（たとえば、メッセージ、情報）を受信するための少なくとも１つの受信機６１８とを含む。上記で説明したように、いくつかの実装形態では、ワイヤレス通信デバイスはネットワークリッスンモジュールを備える。
【００９５】
アクセスポイント６０２は、他のノード（たとえば、ネットワークエンティティ）と通信するための少なくとも１つの通信デバイス６２０（たとえば、ネットワークインターフェース）を含む。いくつかの実装形態では、アクセスポイント６０２は、（たとえば、デバイス６０４中に）単一の通信デバイス６２０を含む。この場合、アクセスポイントは、単一のバックホールリンクを使用して、（たとえば、コアネットワークを介して）ＷＡＮと通信し得る。他の実装形態では、アクセスポイント６０２は、複数の通信デバイス６２０（たとえば、デバイス６０４および６０６中に１つずつ）を含む。この場合、アクセスポイントは、複数のバックホールリンクを使用して、ＷＡＮと通信し得る。
【００９６】
通信デバイス６２０は、ワイヤベースまたはワイヤレスバックホールを介して１つまたは複数のネットワークエンティティと通信するように構成され得る。いくつかの態様では、通信デバイス６２０は、図５に関して上記で説明したように、ワイヤベースまたはワイヤレス信号通信をサポートするように構成される（たとえば、送信機および受信機構成要素を含む）トランシーバとして実装され得る。
【００９７】
デバイス６０４および６０６は、それぞれ、ポイントツーポイント通信を行うための通信デバイス６３４および６３６を含み得る。たとえば、通信デバイスは、（たとえば、ＲＡＴ間の切替えを協調させるために）デバイスが通信するためのローカルバス（たとえば、ＵＳＢ）へのインターフェースを与え得る。
【００９８】
装置６０４および６０６は、本明細書で教示するマルチモード動作に関連して使用され得る他の構成要素をも含む。たとえば、デバイス６０４は、（たとえば、図５に関連して上記で説明したように）マルチモード動作を制御すること、デバイス６０４のための対応するＲＡＴをサポートすることに関係する機能を与えることと、他の処理機能を与えることとを行うための処理システム６２２を含む。また、デバイス６０６は、（たとえば、図５に関連して上記で説明したように）マルチモード動作を制御すること、デバイス６０６のための対応するＲＡＴをサポートすることに関係する機能を与えることと、他の処理機能を与えることとを行うための処理システム６２４を含む。デバイス６０４および６０６は、それぞれ、情報（たとえば、トラフィック情報、しきい値、パラメータなど）を維持するための（たとえば、メモリデバイスを含む）メモリ構成要素６２６および６２８を含む。さらに、デバイス６０４および６０６は、それぞれ、ユーザにインジケーション（たとえば、可聴および／または視覚的インジケーション）を与えること、および／または（たとえば、キーパッド、タッチスクリーン、マイクロフォンなどの感知デバイスをユーザが作動させたときに）ユーザ入力を受信することを行うためのユーザインターフェースデバイス６３０および６３２を含む。
【００９９】
図６の構成要素は様々な方法で実装され得る。いくつかの実装形態では、図６の構成要素は、たとえば、１つまたは複数のプロセッサおよび／または（１つまたは複数のプロセッサを含み得る）１つまたは複数のＡＳＩＣなど、１つまたは複数の回路において実装され得る。ここで、各回路（たとえば、プロセッサ）は、この機能を与えるために回路によって使用される情報または実行コードを記憶するためのデータメモリを使用し、および／または組み込み得る。たとえば、所与のデバイスについて表される機能の一部または全部は、デバイスの１つまたは複数のプロセッサと、デバイスのデータメモリとによって（たとえば、適切なコードの実行によって、および／またはプロセッサ構成要素の適切な構成によって）実装され得る。
【０１００】
上記で説明したように、いくつかの態様では、本明細書の教示は、大規模カバレージ（たとえば、一般にマクロセルネットワークまたはＷＡＮと呼ばれる３Ｇネットワークなどの広域セルラーネットワーク）と、より小規模のカバレージ（たとえば、一般にＬＡＮと呼ばれるレジデンスベースまたは建築物ベースのネットワーク環境）とを含むネットワークにおいて採用され得る。アクセス端末（ＡＴ）がそのようなネットワーク中を移動するとき、アクセス端末は、あるロケーションでは、マクロカバレージを与えるアクセスポイントによってサービスされ得、他のロケーションでは、より小規模のカバレージを与えるアクセスポイントによってサービスされ得る。いくつかの態様では、より小さいカバレージノードを使用して、（たとえば、よりロバストなユーザエクスペリエンスのために）増分キャパシティの増大と、屋内カバレージと、様々なサービスとを与え得る。
【０１０１】
本明細書の説明では、比較的大きいエリアにわたるカバレージを与えるノード（たとえば、アクセスポイント）をマクロアクセスポイントと呼び、比較的小さいエリア（たとえば、レジデンス）にわたるカバレージを与えるノードをフェムトアクセスポイントと呼ぶことがある。本明細書の教示は、他のタイプのカバレージエリアに関連付けられたノードに適用され得ることを諒解されたい。たとえば、ピコアクセスポイントは、マクロエリアよりも小さく、フェムトエリアよりも大きいエリアにわたるカバレージ（たとえば、商業建築物内のカバレージ）を与え得る。様々な適用例では、マクロアクセスポイント、フェムトアクセスポイント、または他のアクセスポイントタイプのノードを指すために他の用語を使用することがある。たとえば、マクロアクセスポイントを、アクセスノード、基地局、アクセスポイント、ｅノードＢ、マクロセルなどとして構成すること、またはそのように呼ぶことがある。また、フェムトアクセスポイントを、ホームノードＢ、ホームｅノードＢ、アクセスポイント基地局、フェムトセルなどとして構成すること、またはそのように呼ぶことがある。いくつかの実装形態では、ノードを１つまたは複数のセルまたはセクタに関連付けることがある（たとえば、そのように呼ぶこと、または分割することがある）。マクロアクセスポイント、フェムトアクセスポイント、またはピコアクセスポイントに関連付けられたセルまたはセクタを、それぞれ、マクロセル、フェムトセル、またはピコセルと呼ぶことがある。
【０１０２】
図７に、本明細書の教示が実装され得る、何人かのユーザをサポートするように構成されるワイヤレス通信システム７００を示す。システム７００は、たとえば、マクロセル７０２Ａ〜７０２Ｇなど、複数のセル７０２の通信を可能にし、各セルは、対応するアクセスポイント７０４（たとえば、アクセスポイント７０４Ａ〜７０４Ｇ）によってサービスされる。図７に示すように、アクセス端末７０６（たとえば、アクセス端末７０６Ａ〜７０６Ｌ）は、時間とともにシステム全体にわたって様々なロケーションに分散され得る。各アクセス端末７０６は、たとえば、アクセス端末７０６がアクティブであるかどうか、およびアクセス端末７０６がソフトハンドオフ中であるかどうかに応じて、所与の瞬間に順方向リンク（ＦＬ）および／または逆方向リンク（ＲＬ）上で１つまたは複数のアクセスポイント７０４と通信し得る。ワイヤレス通信システム７００は、広い地理的領域にわたってサービスを提供し得る。たとえば、マクロセル７０２Ａ〜７０２Ｇは、近隣内の数ブロックまたは地方環境の数マイルをカバーし得る。
【０１０３】
図８に、１つまたは複数のフェムトアクセスポイントがネットワーク環境内に展開された例示的な通信システム８００を示す。特に、システム８００は、比較的小規模のネットワーク環境中に（たとえば、１つまたは複数のユーザレジデンス８３０中に）設置された複数のフェムトアクセスポイント８１０（たとえば、フェムトアクセスポイント８１０Ａおよび８１０Ｂ）を含む。各フェムトアクセスポイント８１０は、ＤＳＬルータ、ケーブルモデム、ワイヤレスリンク、または他の接続手段（図示せず）を介してワイドエリアネットワーク８４０（たとえば、インターネット）とモバイル事業者のコアネットワーク８５０とに結合され得る。以下で説明するように、各フェムトアクセスポイント８１０は、関連するアクセス端末８２０（たとえば、アクセス端末８２０Ａ）、および、オプションとして、他の（たとえば、ハイブリッドまたは外来）アクセス端末８２０（たとえば、アクセス端末８２０Ｂ）をサービスするように構成され得る。言い換えれば、フェムトアクセスポイント８１０へのアクセスは制限され得、それによって、所与のアクセス端末８２０は、指定された（１つまたは複数の）（たとえば、ホーム）フェムトアクセスポイント８１０のセットによってサービスされ得るが、指定されていないフェムトアクセスポイント８１０（たとえば、ネイバーのフェムトアクセスポイント８１０）によってサービスされ得ない。
【０１０４】
図９に、いくつかのトラッキングエリア９０２（またはルーティングエリアまたはロケーションエリア）が画定されたカバレージマップ９００の一例を示し、そのエリアの各々はいくつかのマクロカバレージエリア９０４を含む。ここで、トラッキングエリア９０２Ａ、９０２Ｂ、および９０２Ｃに関連付けられたカバレージのエリアは太線によって示され、マクロカバレージエリア９０４は大きい六角形によって表される。トラッキングエリア９０２はフェムトカバレージエリア９０６をも含む。この例では、フェムトカバレージエリア９０６の各々（たとえば、フェムトカバレージエリア９０６Ｂおよび９０６Ｃ）は、１つまたは複数のマクロカバレージエリア９０４（たとえば、マクロカバレージエリア９０４Ａおよび９０４Ｂ）内に示されている。ただし、フェムトカバレージエリア９０６の一部または全部がマクロカバレージエリア９０４内にあるとは限らないことを諒解されたい。実際には、所与のトラッキングエリア９０２またはマクロカバレージエリア９０４内に、多数のフェムトカバレージエリア９０６（たとえば、フェムトカバレージエリア９０６Ａおよび９０６Ｄ）を画定し得る。また、１つまたは複数のピコカバレージエリア（図示せず）を所与のトラッキングエリア９０２またはマクロカバレージエリア９０４内に画定し得る。
【０１０５】
再び図８を参照すると、フェムトアクセスポイント８１０の所有者は、たとえば、３Ｇモバイルサービスなど、モバイル事業者コアネットワーク８５０を介して提供されるモバイルサービスに加入し得る。さらに、アクセス端末８２０は、マクロ環境と、より小規模の（たとえば、宅内）ネットワーク環境の両方で動作することが可能であり得る。言い換えれば、アクセス端末８２０の現在のロケーションに応じて、アクセス端末８２０は、モバイル事業者コアネットワーク８５０に関連付けられたマクロセルアクセスポイント８６０によって、または、フェムトアクセスポイント８１０のセット（たとえば、対応するユーザレジデンス８３０内に常駐するフェムトアクセスポイント８１０Ａおよび８１０Ｂ）のいずれか１つによってサービスされ得る。たとえば、加入者は、自宅の外にいるときには標準のマクロアクセスポイント（たとえば、アクセスポイント８６０）によってサービスされ、自宅の中にいるときにはフェムトアクセスポイント（たとえば、アクセスポイント８１０Ａ）によってサービスされる。ここで、フェムトアクセスポイント８１０は、レガシーアクセス端末８２０と後方互換性があり得る。
【０１０６】
フェムトアクセスポイント８１０は、単一の周波数上に展開され得、または代替として、複数の周波数上に展開され得る。特定の構成に応じて、単一の周波数、あるいは複数の周波数のうちの１つまたは複数は、マクロアクセスポイント（たとえば、アクセスポイント８６０）によって使用される１つまたは複数の周波数と重複することがある。
【０１０７】
いくつかの態様では、アクセス端末８２０は、そのような接続性が可能であるときはいつでも、好適なフェムトアクセスポイント（たとえば、アクセス端末８２０のホームフェムトアクセスポイント）に接続するように構成され得る。たとえば、アクセス端末８２０Ａがユーザのレジデンス８３０内にあるときはいつでも、アクセス端末８２０Ａがホームフェムトアクセスポイント８１０Ａまたは８１０Ｂのみと通信することが望ましいことがある。
【０１０８】
いくつかの態様では、アクセス端末８２０がマクロセルラーネットワーク８５０内で動作しているが、（たとえば、好適ローミングリスト中で定義された）その最も好適なネットワーク上に常駐していない場合、アクセス端末８２０は、より良いシステム再選択（ＢＳＲ：better system reselection）手順を使用して、最も好適なネットワーク（たとえば、好適なフェムトアクセスポイント８１０）を探索し続け得、より良いシステム再選択では、より良好なシステムが現在利用可能であるかどうかを判断するために利用可能なシステムの周期的スキャニングを行い、その後、そのような好適なシステムを捕捉し得る。アクセス端末８２０は、特定の帯域およびチャネルの探索を制限し得る。たとえば、１つまたは複数のフェムトチャネルが定義され得、それにより、領域中のすべてのフェムトアクセスポイント（またはすべての制限付きフェムトアクセスポイント）は（１つまたは複数の）フェムトチャネル上で動作する。最も好適なシステムの探索が周期的に繰り返され得る。好適なフェムトアクセスポイント８１０が発見されると、アクセス端末８２０は、そのカバレージエリア内にあるときに使用するために、フェムトアクセスポイント８１０を選択し、それに登録する。
【０１０９】
フェムトアクセスポイントへのアクセスは、いくつかの態様では、制限されることがある。たとえば、所与のフェムトアクセスポイントは、いくつかのサービスをいくつかのアクセス端末のみに提供し得る。いわゆる制限付き（または限定）アクセスを用いた展開では、所与のアクセス端末は、マクロセルモバイルネットワークと、フェムトアクセスポイントの定義されたセット（たとえば、対応するユーザレジデンス８３０内に常駐するフェムトアクセスポイント８１０）とによってのみサービスされ得る。いくつかの実装形態では、アクセスポイントは、少なくとも１つのノード（たとえば、アクセス端末）にシグナリング、データアクセス、登録、ページング、またはサービスのうちの少なくとも１つを提供しないように制限され得る。
【０１１０】
いくつかの態様では、（限定加入者グループホームノードＢと呼ばれることもある）制限付きフェムトアクセスポイントは、制限されたプロビジョニングされたアクセス端末のセットにサービスを提供するフェムトアクセスポイントである。このセットは、必要に応じて、一時的にまたは永続的に拡大され得る。いくつかの態様では、限定加入者グループ（ＣＳＧ）は、アクセス端末の共通のアクセス制御リストを共有するアクセスポイント（たとえば、フェムトアクセスポイント）のセットとして定義され得る。
【０１１１】
したがって、所与のフェムトアクセスポイントと所与のアクセス端末との間に様々な関係が存在し得る。たとえば、アクセス端末の観点から、オープンフェムトアクセスポイントは、無制限のアクセスをもつフェムトアクセスポイントを指すことがある（たとえば、そのフェムトアクセスポイントはすべてのアクセス端末にアクセスを許可する）。制限付きフェムトアクセスポイントは、何らかの形で制限された（たとえば、アクセスおよび／または登録について制限された）フェムトアクセスポイントを指すことがある。ホームフェムトアクセスポイントは、アクセス端末がアクセスし、その上で動作することを許可される（たとえば、永続的なアクセスが、１つまたは複数のアクセス端末の定義されたセットに与えられる）フェムトアクセスポイントを指すことがある。ハイブリッド（またはゲスト）フェムトアクセスポイントは、異なるアクセス端末が異なるレベルのサービスを提供される（たとえば、一部のアクセス端末は、部分的なアクセスおよび／または一時的アクセスが許可され得るが、他のアクセス端末は完全なアクセスが許可され得る）フェムトアクセスポイントを指し得る。外来フェムトアクセスポイントは、おそらく非常事態（たとえば、９１１番）を除いて、アクセス端末がアクセスし、またはその上で動作することを許可されないフェムトアクセスポイントを指すことがある。
【０１１２】
制限付きフェムトアクセスポイントの観点から、ホームアクセス端末は、そのアクセス端末の所有者のレジデンス中に設置された制限付きフェムトアクセスポイントへのアクセスを許可されるアクセス端末を指すことがある（通常、ホームアクセス端末は、そのフェムトアクセスポイントへの永続的なアクセスを有する）。ゲストアクセス端末は、（たとえば、最終期限、使用時間、バイト、接続回数、または何らかの他の１つまたは複数の基準に基づいて制限された）制限付きフェムトアクセスポイントへの一時的アクセスをもつアクセス端末を指すことがある。外来アクセス端末は、たとえば、おそらく９１１番などの非常事態を除いて、制限付きフェムトアクセスポイントにアクセスする許可を有していないアクセス端末（たとえば、制限付きフェムトアクセスポイントに登録する証明書または許可を有していないアクセス端末）を指すことがある。
【０１１３】
便宜上、本明細書の開示では、フェムトアクセスポイントのコンテキストで様々な機能について説明する。ただし、ピコアクセスポイントは、同じまたは同様の機能をより大きいカバレージエリアに与え得ることを諒解されたい。たとえば、所与のアクセス端末に対して、ピコアクセスポイントが制限され得、ホームピコアクセスポイントが定義され得る、などである。
【０１１４】
本明細書の教示は、複数のワイヤレスアクセス端末のための通信を同時にサポートするワイヤレス多元接続通信システムにおいて採用され得る。ここで、各端末は、順方向リンクおよび逆方向リンク上の送信を介して１つまたは複数のアクセスポイントと通信し得る。順方向リンク（またはダウンリンク）は、アクセスポイントから端末への通信リンクを指し、逆方向リンク（またはアップリンク）は、端末からアクセスポイントへの通信リンクを指す。この通信リンクは、単入力単出力システム、多入力多出力（ＭＩＭＯ）システム、または何らかの他のタイプのシステムを介して確立され得る。
【０１１５】
ＭＩＭＯシステムは、データ伝送のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS＝＜ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善された性能（たとえば、より高いスループットおよび／またはより大きい信頼性）を与え得る。
【０１１６】
ＭＩＭＯシステムは時分割複信（ＴＤＤ）と周波数分割複信（ＦＤＤ）とをサポートし得る。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナがアクセスポイントにおいて利用可能であるとき、アクセスポイントは順方向リンク上で送信ビームフォーミング利得を抽出することが可能になる。
【０１１７】
図１０に、例示的なＭＩＭＯシステム１０００のワイヤレスデバイス１０１０（たとえば、アクセスポイント）およびワイヤレスデバイス１０５０（たとえば、アクセス端末）を示す。デバイス１０１０において、いくつかのデータストリームのトラフィックデータが、データソース１０１２から送信（ＴＸ）データプロセッサ１０１４に与えられる。次いで、各データストリームは、それぞれの送信アンテナを介して送信され得る。
【０１１８】
ＴＸデータプロセッサ１０１４は、データストリーム用に選択された特定のコーディング方式に基づいて、そのデータストリームごとにトラフィックデータをフォーマットし、コーディングし、インターリーブして、コード化データを与える。各データストリームのコード化データは、ＯＦＤＭ技法を使用してパイロットデータで多重化され得る。パイロットデータは、典型的には、知られている方法で処理される既知のデータパターンであり、チャネル応答を推定するために受信機システムにおいて使用され得る。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ１０３０によって実行される命令によって判断され得る。データメモリ１０３２は、プロセッサ１０３０またはデバイス１０１０の他の構成要素によって使用されるプログラムコード、データ、および他の情報を記憶し得る。
【０１１９】
次いで、すべてのデータストリームの変調シンボルがＴＸ  ＭＩＭＯプロセッサ１０２０に与えられ、ＴＸ  ＭＩＭＯプロセッサ１０２０はさらに（たとえば、ＯＦＤＭ用に）その変調シンボルを処理し得る。ＴＸ  ＭＩＭＯプロセッサ１０２０は、次いで、ＮT個の変調シンボルストリームを、ＮT個のトランシーバ（ＸＣＶＲ）１０２２Ａ〜１０２２Ｔに与える。いくつかの態様では、ＴＸ  ＭＩＭＯプロセッサ１０２０は、データストリームのシンボルと、シンボルの送信元のアンテナとにビームフォーミング重みを適用する。
【０１２０】
各トランシーバ１０２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。次いで、トランシーバ１０２２Ａ〜１０２２ＴからのＮT個の被変調信号は、それぞれＮT個のアンテナ１０２４Ａ〜１０２４Ｔから送信される。
【０１２１】
デバイス１０５０において、送信された被変調信号はＮR個のアンテナ１０５２Ａ〜１０５２Ｒによって受信され、各アンテナ１０５２からの受信信号は、それぞれのトランシーバ（ＸＣＶＲ）１０５４Ａ〜１０５４Ｒに与えられる。各トランシーバ１０５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【０１２２】
次いで、受信（ＲＸ）データプロセッサ１０６０は、ＮR個のトランシーバ１０５４からＮR個の受信シンボルストリームを受信し、特定の受信機処理技法に基づいて処理して、ＮT個の「検出」シンボルストリームを与える。次いで、ＲＸデータプロセッサ１０６０は、各検出シンボルストリームを復調し、デインターリーブし、復号して、データストリームのトラフィックデータを復元する。ＲＸデータプロセッサ１０６０による処理は、デバイス１０１０におけるＴＸ  ＭＩＭＯプロセッサ１０２０およびＴＸデータプロセッサ１０１４によって実行される処理と相補的なものである。
【０１２３】
プロセッサ１０７０は、どのプリコーディング行列を使用すべきかを周期的に判断する（後述）。プロセッサ１０７０は、行列インデックス部分とランク値部分とを備える逆方向リンクメッセージを作成する。データメモリ１０７２は、プロセッサ１０７０またはデバイス１０５０の他の構成要素によって使用されるプログラムコード、データ、および他の情報を記憶し得る。
【０１２４】
逆方向リンクメッセージは、通信リンクおよび／または受信データストリームに関する様々なタイプの情報を備え得る。次いで、逆方向リンクメッセージは、データソース１０３６からいくつかのデータストリームのトラフィックデータをも受信するＴＸデータプロセッサ１０３８によって処理され、変調器１０８０によって変調され、トランシーバ１０５４Ａ〜１０５４Ｒによって調整され、デバイス１０１０に戻される。
【０１２５】
デバイス１０１０において、デバイス１０５０からの被変調信号は、アンテナ１０２４によって受信され、トランシーバ１０２２によって調整され、復調器（ＤＥＭＯＤ）１０４０によって復調され、ＲＸデータプロセッサ１０４２によって処理されて、デバイス１０５０によって送信された逆方向リンクメッセージが抽出される。次いで、プロセッサ１０３０は、ビームフォーミング重みを判断するためにどのプリコーディング行列を使用すべきかを判断し、次いで、抽出されたメッセージを処理する。
【０１２６】
図１０はまた、通信構成要素が、本明細書で教示するマルチモード制御動作を実行する１つまたは複数の構成要素を含み得ることを示す。たとえば、マルチモード制御構成要素１０９０は、デバイス１０１０のプロセッサ１０３０および／または他の構成要素と協働して、本明細書で教示するようにワイヤレスアクセスモード間で切り替え得る。同様に、マルチモード制御構成要素１０９２は、デバイス１０５０のプロセッサ１０７０および／または他の構成要素と協働して、ワイヤレスアクセスモード間で切り替え得る。各デバイス１０１０および１０５０について、説明する構成要素のうちの２つ以上の機能が単一の構成要素によって与えられ得ることを諒解されたい。たとえば、単一の処理構成要素がマルチモード制御構成要素１０９０およびプロセッサ１０３０の機能を与え得、また、単一の処理構成要素がマルチモード制御構成要素１０９２およびプロセッサ１０７０の機能を与え得る。
【０１２７】
本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、コーディング、インターリーブなどのうちの１つまたは複数を指定することによって）、複数のユーザとの通信をサポートすることが可能な多元接続システムにおいて採用され得る。たとえば、本明細書の教示は、符号分割多元接続（ＣＤＭＡ）システム、マルチキャリアＣＤＭＡ（ＭＣＣＤＭＡ）、広帯域ＣＤＭＡ（Ｗ−ＣＤＭＡ（登録商標））、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用され得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装し得る。ＵＴＲＡは、Ｗ−ＣＤＭＡおよび低チップレート（ＬＣＲ）を含む。ｃｄｍａ２０００技術は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ（登録商標）  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されており、ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本開示のいくつかの態様については、３ＧＰＰ用語を使用して説明することがあるが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用され得ることを理解されたい。
【０１２８】
本明細書の教示は、様々な装置（たとえば、ノード）に組み込まれ得る（たとえば、装置内に実装され得る、または装置によって実行され得る）。いくつかの態様では、本明細書の教示に従って実装されるノード（たとえば、ワイヤレスノード）はアクセスポイントまたはアクセス端末を備え得る。
【０１２９】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラー電話またはスマートフォン）、パーソナルコンピュータ（たとえば、ラップトップ）、ポータブル通信デバイス、ポータブルコンピューティングデバイス（たとえば、個人情報端末）、エンターテインメントデバイス（たとえば、音楽デバイス、ビデオデバイス、または衛星ラジオ）、全地球測位システムデバイス、またはワイヤレス媒体を介して通信するように構成される他の好適なデバイスに組み込まれ得る。
【０１３０】
アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の同様の用語を備えるか、それらのいずれかとして実装されるか、あるいはそれらのいずれかとして知られていることがある。
【０１３１】
いくつかの態様では、ノード（たとえば、アクセスポイント）は、通信システムのためのアクセスノードを備え得る。そのようなアクセスノードは、たとえば、ネットワークへのワイヤードまたはワイヤレス通信リンクを介した、ネットワーク（たとえば、インターネットまたはセルラーネットワークなど、ワイドエリアネットワーク）のための、またはネットワークへの接続性を与え得る。したがって、アクセスノードは、別のノード（たとえば、アクセス端末）がネットワークまたは何らかの他の機能にアクセスすることを可能にし得る。さらに、一方または両方のノードはポータブルであり得るか、場合によっては比較的非ポータブルであり得ることを諒解されたい。
【０１３２】
また、ワイヤレスノードは、非ワイヤレス方式で（たとえば、ワイヤード接続を介して）情報を送信および／または受信することが可能であり得ることを諒解されたい。したがって、本明細書で説明する受信機および送信機は、非ワイヤレス媒体を介して通信するために適切な通信インターフェース構成要素（たとえば、電気的または光学的インターフェース構成要素）を含み得る。
【０１３３】
ワイヤレスノードは、好適なＲＡＴに基づくあるいは好適なＲＡＴをサポートする１つまたは複数のワイヤレス通信リンクを介して通信し得る。たとえば、いくつかの態様では、ワイヤレスノードはネットワークに関連し得る。いくつかの態様では、ネットワークはローカルエリアネットワークまたはワイドエリアネットワークを備え得る。ワイヤレスデバイスは、本明細書で説明するような様々な無線アクセス技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートあるいは使用し得る。同様に、ワイヤレスノードは、様々な対応する変調方式または多重化方式のうちの１つまたは複数をサポートあるいは使用し得る。したがって、ワイヤレスノードは、上記または他の無線アクセス技術を使用して１つまたは複数のワイヤレス通信リンクを確立し、それを介して通信するための適切な構成要素（たとえば、エアインターフェース）を含み得る。たとえば、ワイヤレスノードは、ワイヤレス媒体上の通信を可能にする様々な構成要素（たとえば、信号生成器および信号処理器）を含み得る関連する送信機構成要素および受信機構成要素をもつワイヤレストランシーバを備え得る。
【０１３４】
（たとえば、添付の図の１つまたは複数に関して）本明細書で説明した機能は、いくつかの態様では、添付の特許請求の範囲において同様に指定された「手段」機能に対応し得る。図１１を参照すると、装置１１００が一連の相互に関係する機能モジュールとして表されている。ここで、第１のタイプの無線アクセス技術を使用してアクセス端末と通信するためのモジュール１１０２は、少なくともいくつかの態様では、たとえば、本明細書で説明する通信デバイスに対応し得る。第１のタイプの無線アクセス技術に関連するトラフィック状態を示す少なくとも１つのインジケーションを判断するためのモジュール１１０４は、少なくともいくつかの態様では、たとえば、本明細書で説明する処理システムに対応し得る。少なくとも１つのインジケーションに基づいて、第１のタイプの無線アクセス技術の代わりに第２のタイプの無線アクセス技術に切り替えることを判断するためのモジュール１１０６は、少なくともいくつかの態様では、たとえば、本明細書で説明する処理システムに対応し得る。第２のタイプの無線アクセス技術に切り替えるという判断の結果として、第２のタイプの無線アクセス技術を使用してアクセス端末と通信するためのモジュール１１０８は、少なくともいくつかの態様では、たとえば、本明細書で説明する通信デバイスに対応し得る。アクセスポイントのためのワイドエリアネットワーク通信リンクに関連するトラフィック状態を示す少なくとも１つの第２のインジケーションを判断するためのモジュール１１１０は、少なくともいくつかの態様では、たとえば、本明細書で説明する処理システムに対応し得る。第２のタイプの無線アクセス技術に関連するトラフィック状態を示す少なくとも１つの第３のインジケーションを判断するためのモジュール１１１２は、少なくともいくつかの態様では、たとえば、本明細書で説明する処理システムに対応し得る。アクセス端末によって使用される少なくとも１つのサービスを識別するためのモジュール１１１４は、少なくともいくつかの態様では、たとえば、本明細書で説明する処理システムに対応し得る。ＩＰアドレスを取り消すことによって、第１のタイプの無線アクセス技術の代わりに第２のタイプの無線アクセス技術を使用する通信を起動するためのモジュール１１１６は、少なくともいくつかの態様では、たとえば、本明細書で説明する処理システムに対応し得る。ＳＳＩＤを無効化することによって、第１のタイプの無線アクセス技術の代わりに第２のタイプの無線アクセス技術を使用する通信を起動するためのモジュール１１１８は、少なくともいくつかの態様では、たとえば、本明細書で説明する処理システムに対応し得る。ＭＡＣアドレスに関連するトラフィックをフィルタ処理することによって、第１のタイプの無線アクセス技術の代わりに第２のタイプの無線アクセス技術を使用する通信を起動するためのモジュール１１２０は、少なくともいくつかの態様では、たとえば、本明細書で説明する処理システムに対応し得る。
【０１３５】
図１１のモジュールの機能は、本明細書の教示に一致する様々な方法で実装され得る。いくつかの態様では、これらのモジュールの機能は、１つまたは複数の電気的構成要素として実装され得る。いくつかの態様では、これらのブロックの機能は、１つまたは複数のプロセッサ構成要素を含む処理システムとして実装され得る。いくつかの態様では、これらのモジュールの機能は、たとえば、１つまたは複数の集積回路（たとえば、ＡＳＩＣ）の少なくとも一部分を使用して実装され得る。本明細書で説明するように、集積回路は、プロセッサ、ソフトウェア、他の関係する構成要素、またはそれらの何らかの組合せを含み得る。したがって、異なるモジュールの機能は、たとえば、集積回路の異なるサブセットとして、ソフトウェアモジュールのセットの異なるサブセットとして、またはそれらの組合せとして実装され得る。また、（たとえば、集積回路のおよび／またはソフトウェアモジュールのセットの）所与のサブセットは、２つ以上のモジュールのための機能の少なくとも一部分を与え得ることを諒解されたい。これらのモジュールの機能はまた、本明細書で教示するように何らかの他の方法で実装され得る。いくつかの態様では、図１１中の破線ブロックのうちの１つまたは複数はオプションである。
【０１３６】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。したがって、第１および第２の要素への言及は、そこで２つの要素のみが採用され得ること、または第１の要素が何らかの方法で第２の要素に先行しなければならないことを意味するものではない。また、別段に記載されていない限り、要素のセットは１つまたは複数の要素を備え得る。さらに、明細書または特許請求の範囲で使用される「Ａ、Ｂ、またはＣのうちの少なくとも１つ」または「Ａ、Ｂ、またはＣのうちの１つまたは複数」または「Ａ、Ｂ、およびＣからなるグループの少なくとも１つ」という形式の用語法は、「ＡまたはＢまたはＣまたはそれら要素の任意の組合せ」を意味する。たとえば、この用語法は、Ａ、またはＢ、またはＣ、またはＡおよびＢ、またはＡおよびＣ、またはＡおよびＢおよびＣ、または２Ａ、または２Ｂ、または２Ｃなどを含み得る。
【０１３７】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３８】
さらに、本明細書で開示した態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいはその両方の組合せとして実装され得ることを当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【０１３９】
本明細書で開示した態様に関して説明した様々な例示的な論理ブロック、モジュール、および回路は、処理システム、集積回路（「ＩＣ」）、アクセス端末、またはアクセスポイント内に実装され得るか、またはそれらによって実行され得る。処理システムは、１つまたは複数のＩＣを使用して実装され得るか、または（たとえば、システムオンチップの一部として）ＩＣの内部に実装され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気的構成要素、光学構成要素、機械構成要素、または本明細書で説明する機能を実行するように設計されたそれらの任意の組合せを備え得、ＩＣの内部に、ＩＣの外側に、またはその両方に常駐するコードまたは命令を実行し得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１４０】
開示したプロセス中のステップの特定の順序または階層は例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１４１】
１つまたは複数の例示的な実施形態では、説明した機能は、ハードウェア、（たとえば、コードがどのように展開されるかに応じて、ソフトウェア、ミドルウェア、ファームウェアなどと呼ばれることがある）ソフトウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。コンピュータ可読媒体は任意の好適なコンピュータプログラム製品に実装され得ることを諒解されたい。
【０１４２】
本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報の受信）、アクセス（たとえば、メモリ中のデータへのアクセス）などを含み得る。また、「判断」は、解決、選択、選定、確立などを含み得る。
【０１４３】
開示した態様の前述の説明は、当業者が本開示を実施または使用できるように与えたものである。これらの態様への様々な修正は当業者には容易に明らかになり、本明細書で定義した一般原理は、本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に本願発明の当初の特許請求の範囲に記載された発明を付記する。
［Ｃ１］
第１のタイプの無線アクセス技術を使用してアクセス端末と通信するように構成される第１の通信デバイスと、
前記第１のタイプの無線アクセス技術に関連するトラフィック状態を示す少なくとも１つのインジケーションを判断するように構成され、前記少なくとも１つのインジケーションに基づいて、前記第１のタイプの無線アクセス技術の代わりに第２のタイプの無線アクセス技術に切り替えることを判断するようにさらに構成される処理システムと、
前記第２のタイプの無線アクセス技術に切り替えるという前記判断の結果として、前記第２のタイプの無線アクセス技術を使用して前記アクセス端末と通信するように構成される第２の通信デバイスとを備える、ワイヤレス通信のための装置。
［Ｃ２］
前記第１のタイプの無線アクセス技術がＷｉ−Ｆｉ技術を備え、
前記第２のタイプの無線アクセス技術がセルラー技術を備える、Ｃ１に記載の装置。
［Ｃ３］
前記少なくとも１つのインジケーションは、前記第１のタイプの無線アクセス技術を使用して前記装置と前記アクセス端末との間に確立された通信チャネルが輻輳しているかどうかを示す、Ｃ１に記載の装置。
［Ｃ４］
前記処理システムは、前記装置のためのワイドエリアネットワーク通信リンクに関連するトラフィック状態を示す少なくとも１つの第２のインジケーションを判断するようにさらに構成され、
前記第２のタイプの無線アクセス技術に切り替えるという前記判断は、前記少なくとも１つの第２のインジケーションにさらに基づく、Ｃ１に記載の装置。
［Ｃ５］
前記ワイドエリアネットワーク通信リンクは、前記装置のための少なくとも１つのバックホールリンクを備え、
前記少なくとも１つの第２のインジケーションは、前記少なくとも１つのバックホールリンクは、前記装置によってサービスされる通信に対するボトルネックであるかどうかを示す、Ｃ４に記載の装置。
［Ｃ６］
前記少なくとも１つのバックホールリンクが前記通信に対するボトルネックである場合、前記アクセス端末は、少なくとも１つの他のバックホールを用いてアクセスポイントにリダイレクトされる、Ｃ５に記載の装置。
［Ｃ７］
前記処理システムは、前記第２のタイプの無線アクセス技術に関連するトラフィック状態を示す少なくとも１つの第３のインジケーションを判断するようにさらに構成され、
前記第２のタイプの無線アクセス技術に切り替えるという前記判断は、前記少なくとも１つの第３のインジケーションにさらに基づく、Ｃ４に記載の装置。
［Ｃ８］
前記処理システムは、前記アクセス端末によって使用される少なくとも１つのサービスを識別するようにさらに構成され、
前記第２のタイプの無線アクセス技術に切り替えるという前記判断は、前記少なくとも１つのサービスにさらに基づく、Ｃ１に記載の装置。
［Ｃ９］
前記処理システムは、前記第１のタイプのワイヤレス通信を使用する前記通信のための、前記アクセス端末に関連するインターネットプロトコル（ＩＰ）アドレスを取り消すことによって、前記第１のタイプの無線アクセス技術の代わりに前記第２のタイプの無線アクセス技術を使用して前記通信を起動するようにさらに構成される、Ｃ１に記載の装置。
［Ｃ１０］
前記処理システムは、前記第１のタイプの無線アクセス技術を使用する前記通信のための、前記装置によって通知されたサービスセット識別子（ＳＳＩＤ）を無効化することによって、前記第１のタイプの無線アクセス技術の代わりに前記第２のタイプの無線アクセス技術を使用して前記通信を起動するようにさらに構成される、Ｃ１に記載の装置。
［Ｃ１１］
前記無効化されたＳＳＩＤは、前記第１のタイプの無線アクセス技術のための前記装置によって通知された複数のＳＳＩＤのうちの１つである、Ｃ１０に記載の装置。
［Ｃ１２］
前記処理システムは、トラフィックが、前記アクセス端末に割り当てられたメディアアクセス制御（ＭＡＣ）アドレスに関連する場合、前記第１のタイプのワイヤレス通信を介して送られた前記トラフィックをフィルタ処理することによって、前記第１のタイプの無線アクセス技術の代わりに前記第２のタイプの無線アクセス技術を使用して前記通信を起動するようにさらに構成される、Ｃ１に記載の装置。
［Ｃ１３］
前記少なくとも１つのインジケーションは、スループット、干渉、アクティブなデバイスの数、受信信号強度インジケーション（ＲＳＳＩ）、送信されたアクセスメッセージの量、リンク状態、バッファステータス、またはパケットロス率のうちの少なくとも１つを備える、Ｃ１に記載の装置。
［Ｃ１４］
第１のタイプの無線アクセス技術を使用してアクセス端末と通信することと、
前記第１のタイプの無線アクセス技術に関連するトラフィック状態を示す少なくとも１つのインジケーションを判断することと、
前記少なくとも１つのインジケーションに基づいて、前記第１のタイプの無線アクセス技術の代わりに第２のタイプの無線アクセス技術に切り替えることを判断することと、
前記第２のタイプの無線アクセス技術に切り替えるという前記判断の結果として、前記第２のタイプの無線アクセス技術を使用して前記アクセス端末と通信することとを備える、マルチモードアクセスポイントのための通信の方法。
［Ｃ１５］
前記第１のタイプの無線アクセス技術がＷｉ−Ｆｉ技術を備え、
前記第２のタイプの無線アクセス技術がセルラー技術を備える、Ｃ１４に記載の方法。
［Ｃ１６］
前記少なくとも１つのインジケーションは、前記第１のタイプの無線アクセス技術を使用して前記アクセスポイントと前記アクセス端末との間に確立された通信チャネルが輻輳しているかどうかを示す、Ｃ１４に記載の方法。
［Ｃ１７］
前記アクセスポイントのためのワイドエリアネットワーク通信リンクに関連するトラフィック状態を示す少なくとも１つの第２のインジケーションを判断することをさらに備え、前記第２のタイプの無線アクセス技術に切り替えるという前記判断は、前記少なくとも１つの第２のインジケーションにさらに基づく、Ｃ１４に記載の方法。
［Ｃ１８］
前記ワイドエリアネットワーク通信リンクは、前記アクセスポイントのための少なくとも１つのバックホールリンクを備え、
前記少なくとも１つの第２のインジケーションは、前記少なくとも１つのバックホールリンクが、前記アクセスポイントによってサービスされる通信に対するボトルネックであるかどうかを示す、Ｃ１７に記載の方法。
［Ｃ１９］
前記少なくとも１つのバックホールリンクが前記通信に対するボトルネックである場合、前記アクセス端末は、少なくとも１つの他のバックホールを用いて別のアクセスポイントにリダイレクトされる、Ｃ１８に記載の方法。
［Ｃ２０］
前記第２のタイプの無線アクセス技術に関連するトラフィック状態を示す少なくとも１つの第３のインジケーションを判断することをさらに備え、前記第２のタイプの無線アクセス技術に切り替えるという前記判断は、前記少なくとも１つの第３のインジケーションにさらに基づく、Ｃ１７に記載の方法。
［Ｃ２１］
前記アクセス端末によって使用される少なくとも１つのサービスを識別することをさらに備え、前記第２のタイプの無線アクセス技術に切り替えるという前記判断は、前記少なくとも１つのサービスにさらに基づく、Ｃ１４に記載の方法。
［Ｃ２２］
前記第１のタイプのワイヤレス通信を使用する前記通信のための、前記アクセス端末に関連するインターネットプロトコル（ＩＰ）アドレスを取り消すことによって、前記第１のタイプの無線アクセス技術の代わりに前記第２のタイプの無線アクセス技術を使用して前記通信を起動することをさらに備える、Ｃ１４に記載の方法。
［Ｃ２３］
前記第１のタイプの無線アクセス技術を使用する前記通信のための、前記アクセスポイントによって通知されたサービスセット識別子（ＳＳＩＤ）を無効化することによって、前記第１のタイプの無線アクセス技術の代わりに前記第２のタイプの無線アクセス技術を使用して前記通信を起動することをさらに備える、Ｃ１４に記載の方法。
［Ｃ２４］
前記無効化されたＳＳＩＤは、前記第１のタイプの無線アクセス技術のための、前記アクセスポイントによって通知された複数のＳＳＩＤのうちの１つである、Ｃ２３に記載の方法。
［Ｃ２５］
トラフィックが前記アクセス端末に割り当てられたメディアアクセス制御（ＭＡＣ）アドレスに関連する場合、前記第１のタイプのワイヤレス通信を介して送られた前記トラフィックをフィルタ処理することによって、前記第１のタイプの無線アクセス技術の代わりに前記第２のタイプの無線アクセス技術を使用して前記通信を起動することをさらに備える、Ｃ１４に記載の方法。
［Ｃ２６］
前記少なくとも１つのインジケーションは、スループット、干渉、アクティブなデバイスの数、受信信号強度インジケーション（ＲＳＳＩ）、送信されたアクセスメッセージの量、リンク状態、バッファステータス、またはパケットロス率のうちの少なくとも１つを備える、Ｃ１４に記載の方法。
［Ｃ２７］
第１のタイプの無線アクセス技術を使用してアクセス端末と通信するための手段と、
前記第１のタイプの無線アクセス技術に関連するトラフィック状態を示す少なくとも１つのインジケーションを判断するための手段と、
前記少なくとも１つのインジケーションに基づいて、前記第１のタイプの無線アクセス技術の代わりに第２のタイプの無線アクセス技術に切り替えることを判断するための手段と、
前記第２のタイプの無線アクセス技術に切り替えるという前記判断の結果として、前記第２のタイプの無線アクセス技術を使用して前記アクセス端末と通信するための手段とを備える、ワイヤレス通信のための装置。
［Ｃ２８］
前記第１のタイプの無線アクセス技術がＷｉ−Ｆｉ技術を備え、
前記第２のタイプの無線アクセス技術がセルラー技術を備える、Ｃ２７に記載の装置。
［Ｃ２９］
前記少なくとも１つのインジケーションは、前記第１のタイプの無線アクセス技術を使用して前記装置と前記アクセス端末との間に確立された通信チャネルが輻輳しているかどうかを示す、Ｃ２７に記載の装置。
［Ｃ３０］
前記装置のためのワイドエリアネットワーク通信リンクに関連するトラフィック状態を示す少なくとも１つの第２のインジケーションを判断するための手段をさらに備え、前記第２のタイプの無線アクセス技術に切り替えるという前記判断は、前記少なくとも１つの第２のインジケーションにさらに基づく、Ｃ２７に記載の装置。
［Ｃ３１］
前記第２のタイプの無線アクセス技術に関連するトラフィック状態を示す少なくとも１つの第３のインジケーションを判断するための手段をさらに備え、前記第２のタイプの無線アクセス技術に切り替えるという前記判断は、前記少なくとも１つの第３のインジケーションにさらに基づく、Ｃ３０に記載の装置。
［Ｃ３２］
前記アクセス端末によって使用される少なくとも１つのサービスを識別するための手段をさらに備え、前記第２のタイプの無線アクセス技術に切り替えるという前記判断は、前記少なくとも１つのサービスにさらに基づく、Ｃ２７に記載の装置。
［Ｃ３３］
前記第１のタイプのワイヤレス通信を使用する前記通信のための、前記アクセス端末に関連するインターネットプロトコル（ＩＰ）アドレスを取り消すことによって、前記第１のタイプの無線アクセス技術の代わりに前記第２のタイプの無線アクセス技術を使用して前記通信を起動するための手段をさらに備える、Ｃ２７に記載の装置。
［Ｃ３４］
前記第１のタイプの無線アクセス技術を使用する前記通信のための、前記装置によって通知されたサービスセット識別子（ＳＳＩＤ）を無効化することによって、前記第１のタイプの無線アクセス技術の代わりに前記第２のタイプの無線アクセス技術を使用して前記通信を起動するための手段をさらに備える、Ｃ２７に記載の装置。
［Ｃ３５］
トラフィックが前記アクセス端末に割り当てられたメディアアクセス制御（ＭＡＣ）アドレスに関連する場合、前記第１のタイプのワイヤレス通信を介して送られた前記トラフィックをフィルタ処理することによって、前記第１のタイプの無線アクセス技術の代わりに前記第２のタイプの無線アクセス技術を使用して前記通信を起動するための手段をさらに備える、Ｃ２７に記載の装置。
［Ｃ３６］
第１のタイプの無線アクセス技術を使用してアクセス端末と通信することと、
前記第１のタイプの無線アクセス技術に関連するトラフィック状態を示す少なくとも１つのインジケーションを判断することと、
前記少なくとも１つのインジケーションに基づいて、前記第１のタイプの無線アクセス技術の代わりに第２のタイプの無線アクセス技術に切り替えることを判断することと、
前記第２のタイプの無線アクセス技術に切り替えるという前記判断の結果として、前記第２のタイプの無線アクセス技術を使用して前記アクセス端末と通信することとをコンピュータに行わせるためのコードを備えるコンピュータ可読媒体を備える、コンピュータプログラム製品。
［Ｃ３７］
前記第１のタイプの無線アクセス技術がＷｉ−Ｆｉ技術を備え、
前記第２のタイプの無線アクセス技術がセルラー技術を備える、Ｃ３６に記載のコンピュータプログラム製品。
［Ｃ３８］
前記少なくとも１つのインジケーションは、前記第１のタイプの無線アクセス技術を使用してアクセスポイントと前記アクセス端末との間に確立された通信チャネルが輻輳しているかどうかを示す、Ｃ３６に記載のコンピュータプログラム製品。
［Ｃ３９］
前記コンピュータ可読媒体は、前記アクセスポイントのためのワイドエリアネットワーク通信リンクに関連するトラフィック状態を示す少なくとも１つの第２のインジケーションを判断することを前記コンピュータに行わせるためのコードをさらに備え、
前記第２のタイプの無線アクセス技術に切り替えるという前記判断が、前記少なくとも１つの第２のインジケーションにさらに基づく、Ｃ３６に記載のコンピュータプログラム製品。
［Ｃ４０］
前記コンピュータ可読媒体は、前記第２のタイプの無線アクセス技術に関連するトラフィック状態を示す少なくとも１つの第３のインジケーションを判断することを前記コンピュータに行わせるためのコードをさらに備え、
前記第２のタイプの無線アクセス技術に切り替えるという前記判断は、前記少なくとも１つの第３のインジケーションにさらに基づく、Ｃ３９に記載のコンピュータプログラム製品。
［Ｃ４１］
前記コンピュータ可読媒体は、前記アクセス端末によって使用される少なくとも１つのサービスを識別することを前記コンピュータに行わせるためのコードをさらに備え、
前記第２のタイプの無線アクセス技術に切り替えるという前記判断は、前記少なくとも１つのサービスにさらに基づく、Ｃ３６に記載のコンピュータプログラム製品。
［Ｃ４２］
前記コンピュータ可読媒体は、前記第１のタイプのワイヤレス通信を使用する前記通信のための、前記アクセス端末に関連するインターネットプロトコル（ＩＰ）アドレスを取り消すことによって、前記第１のタイプの無線アクセス技術の代わりに前記第２のタイプの無線アクセス技術を使用して前記通信を起動することを前記コンピュータに行わせるためのコードをさらに備える、Ｃ３６に記載のコンピュータプログラム製品。
［Ｃ４３］
前記コンピュータ可読媒体は、前記第１のタイプの無線アクセス技術を使用する前記通信のための、前記アクセスポイントによって通知されたサービスセット識別子（ＳＳＩＤ）を無効化することによって、前記第１のタイプの無線アクセス技術の代わりに前記第２のタイプの無線アクセス技術を使用して前記通信を起動することを前記コンピュータに行わせるためのコードをさらに備える、Ｃ３６に記載のコンピュータプログラム製品。
［Ｃ４４］
前記コンピュータ可読媒体は、トラフィックが前記アクセス端末に割り当てられたメディアアクセス制御（ＭＡＣ）アドレスに関連する場合、前記第１のタイプのワイヤレス通信を介して送られた前記トラフィックをフィルタ処理することによって、前記第１のタイプの無線アクセス技術の代わりに前記第２のタイプの無線アクセス技術を使用して前記通信を起動することを前記コンピュータに行わせるためのコードをさらに備える、Ｃ３６に記載のコンピュータプログラム製品。
【図１】
2018125873.tif 000003
【図２】
2018125873.tif 000004
【図３】
2018125873.tif 000005
【図４】
2018125873.tif 000006
【図５】
2018125873.tif 000007
【図６】
2018125873.tif 000008
【図７】
2018125873.tif 000009
【図８】
2018125873.tif 000010
【図９】
2018125873.tif 000011
【図１０】
2018125873.tif 000012
【図１１】
2018125873.tif 000013
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
ワイヤレス通信のためのアクセスポイントであって、
第１の無線アクセス技術を使用して前記アクセスポイントに接続されたアクセス端末にサービスを提供するように構成される第１の通信構成要素と、
前記アクセス端末からのサポートから独立した前記アクセスポイントに可視の１つまたは複数のネットワーク属性に基づいて、前記第１の無線アクセス技術に関連するトラフィック状態を示す少なくとも１つのインジケーションを、前記アクセスポイントにおいて、判断することと、前記少なくとも１つのインジケーションに基づいて、前記第１の無線アクセス技術の代わりに第２の無線アクセス技術に、前記アクセスポイントにおいて、切り替えることと、前記第１の無線アクセス技術を介して前記アクセス端末にメッセージを送ること、ここにおいて、前記第１の無線アクセス技術を介して送られた前記メッセージは、前記アクセス端末に、前記第１の無線アクセス技術を介した通信を無効化させ、前記第２の無線アクセス技術を介した通信を有効化させるように構成される、とを行うように構成される処理システムと、
前記第２の無線アクセス技術への前記切り替えの結果として、前記第２の無線アクセス技術を使用して前記アクセス端末にサービスを提供するように構成される第２の通信構成要素、ここにおいて、前記アクセスポイントは、ワイヤレスネットワーク上における１つのノードに対応する、と
を備える、アクセスポイント。
【請求項２】
前記第１の無線アクセス技術は、Ｗｉ−Ｆｉ技術を備え、
前記第２の無線アクセス技術は、セルラー技術を備える、
請求項１に記載のアクセスポイント。
【請求項３】
前記第１の無線アクセス技術は、セルラー技術を備え、
前記第２の無線アクセス技術は、Ｗｉ−Ｆｉ技術を備える、
請求項１に記載のアクセスポイント。
【請求項４】
前記少なくとも１つのインジケーションは、スループットを備える、
請求項１に記載のアクセスポイント。
【請求項５】
前記少なくとも１つのインジケーションは、干渉を備える、
請求項１に記載のアクセスポイント。
【請求項６】
前記少なくとも１つのインジケーションは、アクティブなデバイスの数を備える、
請求項１に記載のアクセスポイント。
【請求項７】
前記少なくとも１つのインジケーションは、受信信号強度インジケーション（ＲＳＳＩ）を備える、
請求項１に記載のアクセスポイント。
【請求項８】
前記少なくとも１つのインジケーションは、送信されたアクセスメッセージの量を備える、
請求項１に記載のアクセスポイント。
【請求項９】
前記少なくとも１つのインジケーションは、リンク状態を備える、
請求項１に記載のアクセスポイント。
【請求項１０】
前記少なくとも１つのインジケーションは、バッファステータスを備える、
請求項１に記載のアクセスポイント。
【請求項１１】
前記少なくとも１つのインジケーションは、パケットロス率を備える、
請求項１に記載のアクセスポイント。
【請求項１２】
前記少なくとも１つのインジケーションは、前記第１の無線アクセス技術を使用して前記アクセスポイントと前記アクセス端末との間に確立された通信チャネルが輻輳しているかどうかを示す、
請求項１に記載のアクセスポイント。
【請求項１３】
前記処理システムは、前記アクセスポイントのためのワイドエリアネットワーク通信リンクに関連するトラフィック状態を示す少なくとも１つの第２のインジケーションを判断することを行うようにさらに構成され、
前記第２の無線アクセス技術への前記切り替えは、前記少なくとも１つの第２のインジケーションにさらに基づく、
請求項１に記載のアクセスポイント。
【請求項１４】
前記ワイドエリアネットワーク通信リンクは、前記アクセスポイントのための少なくとも１つのバックホールリンクを備え、
前記少なくとも１つの第２のインジケーションは、前記少なくとも１つのバックホールリンクが前記アクセスポイントによってサービスされる通信に対するボトルネックであるかどうかを示す、
請求項１３に記載のアクセスポイント。
【請求項１５】
前記少なくとも１つのバックホールリンクが前記アクセスポイントによってサービスされる前記通信に対する前記ボトルネックである場合、前記アクセス端末は、少なくとも１つの異なるバックホールを有する別のアクセスポイントにリダイレクトされる、
請求項１４に記載のアクセスポイント。
【請求項１６】
前記処理システムは、前記第１の無線アクセス技術に関する前記トラフィック状態が輻輳しており、さらに前記少なくとも１つのバックホールリンクが前記アクセスポイントによってサービスされる前記通信のための前記ボトルネックでないという判断に応じて、前記第２の無線アクセス技術への前記切り替えを起動するように構成される、
請求項１４に記載のアクセスポイント。
【請求項１７】
前記処理システムは、前記第１の無線アクセス技術に関する前記輻輳したトラフィック状態が回復したと判断することに応じて、前記アクセス端末を前記第１の無線アクセス技術にリダイレクトすることを行うようにさらに構成される、
請求項１６に記載のアクセスポイント。
【請求項１８】
前記処理システムは、前記第２の無線アクセス技術に関連するトラフィック状態を示す少なくとも１つの第３のインジケーションを判断することを行うようにさらに構成され、
前記第２の無線アクセス技術への前記切り替えは、前記少なくとも１つの第３のインジケーションにさらに基づく、
請求項１３に記載のアクセスポイント。
【請求項１９】
前記処理システムは、前記アクセスポイントが前記アクセス端末に提供する前記サービスを識別することを行うようにさらに構成され、
前記第２の無線アクセス技術への前記切り替えは、前記アクセスポイントが前記アクセス端末に提供する前記サービスにさらに基づく、
請求項１に記載のアクセスポイント。
【請求項２０】
前記処理システムは、前記第１の無線アクセス技術を使用する通信のための、前記アクセス端末に関連するインターネットプロトコル（ＩＰ）アドレスを取り消すことによって、前記第１の無線アクセス技術から前記第２の無線アクセス技術への前記切り替えを起動することを行うようにさらに構成される、
請求項１に記載のアクセスポイント。
【請求項２１】
前記処理システムは、前記第１の無線アクセス技術を使用する前記通信のための、前記アクセスポイントによって通知されたサービスセット識別子（ＳＳＩＤ）を無効化することによって、前記第１の無線アクセス技術から前記第２の無線アクセス技術への切り替えを起動するようにさらに構成される、
請求項１に記載のアクセスポイント。
【請求項２２】
前記無効化されたＳＳＩＤは、前記第１の無線アクセス技術のための前記アクセスポイントによって通知された複数のＳＳＩＤのうちの１つである、
請求項２１に記載のアクセスポイント。
【請求項２３】
前記処理システムは、トラフィックが、前記アクセス端末に割り当てられたメディアアクセス制御（ＭＡＣ）アドレスに関連する場合、前記第１の無線アクセス技術を介して送られた前記トラフィックをフィルタ処理することによって、前記第１の無線アクセス技術から前記第２の無線アクセス技術への切り替えを起動するようにさらに構成される、
請求項１に記載のアクセスポイント。
【請求項２４】
少なくとも前記第１の通信構成要素、前記処理システム、および前記第２の通信構成要素を実装する単一のデバイスを備える、
請求項１に記載のアクセスポイント。
【請求項２５】
少なくとも前記第１の通信構成要素および前記第２の通信構成要素は、コロケートされた異なるハウジング内において実装される、
請求項１に記載のアクセスポイント。
【請求項２６】
前記第１の通信構成要素および前記第２の通信構成要素は、大幅に重複したカバレージエリアを有し、ポイントツーポイント通信を介して互いと通信するようにさらに構成される、
請求項２５に記載のアクセスポイント。
【請求項２７】
前記処理システムは、前記第１の無線アクセス技術から前記第２の無線アクセス技術への前記切り替え中にインターネットプロトコル（ＩＰ）接続への割り込みを防ぐために、前記第１の無線アクセス技術および前記第２の無線アクセス技術を使用して通信するための前記アクセス端末にＩＰアドレスを割り振ることを行うようにさらに構成される、
請求項１に記載のアクセスポイント。
【請求項２８】
前記処理システムは、前記第２の無線アクセス技術への前記切り替えを開始する前に、前記第１の無線アクセス技術を介して通信するために前記接続されたアクセス端末が使用する通信チャネルが非アクティブになるまで待つことを行うようにさらに構成される、
請求項１に記載のアクセスポイント。
【請求項２９】
前記処理システムは、前記アクセスポイントに接続された１つまたは複数の他のアクセス端末が前記第２の無線アクセス技術をサポートしないという判断に応じて前記第２の無線アクセス技術への前記切り替えを起動することを行うようにさらに構成される、
請求項１に記載のアクセスポイント。
【請求項３０】
前記１つまたは複数のネットワーク属性は、前記第１の無線アクセス技術に関連する前記トラフィック状態を示す前記少なくとも１つのインジケーションが任意のコアネットワーク要素からの明示的なサポートなしに前記アクセスポイントに対してさらに可視であると判断することを行うようにさらに構成される、
請求項１に記載のアクセスポイント。
【請求項３１】
前記第２の通信構成要素は、前記第２の無線アクセス技術に関連するチャンネル上における前記アクセス端末から接続要求を受信することと、前記接続要求に応じて前記アクセス端末との新しい通信を確立することとを行うようにさらに構成される、
請求項１に記載のアクセスポイント。
【請求項３２】
前記処理システムは、前記第１の通信構成要素に、前記第１の無線アクセス技術をサポートする第１のトランシーバを介して前記アクセス端末に前記メッセージを送らせることを行うようにさらに構成される、
請求項１に記載のアクセスポイント。
【請求項３３】
前記処理システムは、経時的に前記第１の無線アクセス技術に関連する前記トラフィック状態の記録に基づいて前記少なくとも１つのインジケーションを判断することを行うようにさらに構成される、
請求項１に記載のアクセスポイント。
【請求項３４】
マルチモードアクセスポイントのための通信の方法であって、
前記マルチモードアクセスポイントが、第１の無線アクセス技術を使用して前記マルチモードアクセスポイントに接続されたアクセス端末にサービスを提供することと、
前記マルチモードアクセスポイントが、前記アクセス端末からのサポートから独立した前記マルチモードアクセスポイントに可視の１つまたは複数のネットワーク属性に基づいて、前記第１の無線アクセス技術に関連するトラフィック状態を示す少なくとも１つのインジケーションを判断することと、
前記マルチモードアクセスポイントが、前記少なくとも１つのインジケーションに基づいて、前記第１の無線アクセス技術の代わりに第２の無線アクセス技術に切り替えることと、
前記第１の無線アクセス技術を介してメッセージを、前記アクセス端末に、送ること、ここにおいて、前記第１の無線アクセス技術を介して送られた前記メッセージは、前記第１の無線アクセス技術を介した通信を無効化させ、前記第２の無線アクセス技術を介した通信を可能にさせるように構成される、と、
前記マルチモードアクセスポイントが、前記第２の無線アクセス技術への切り替えの結果として、前記第２の無線アクセス技術を使用して前記アクセス端末にサービスを提供すること、ここにおいて、前記マルチモードアクセスポイントは、ワイヤレスネットワーク上における１つのノードに対応する、と
を備える、方法。
【請求項３５】
前記第１の無線アクセス技術は、Ｗｉ−Ｆｉ技術を備え、
前記第２の無線アクセス技術は、セルラー技術を備える、
請求項３４に記載の方法。
【請求項３６】
前記第１の無線アクセス技術は、セルラー技術を備え、
前記第２の無線アクセス技術は、Ｗｉ−Ｆｉ技術を備える、
請求項３４に記載の方法。
【請求項３７】
前記少なくとも１つのインジケーションは、スループットを備える、
請求項３４に記載の方法。
【請求項３８】
前記少なくとも１つのインジケーションは、干渉を備える、
請求項３４に記載の方法。
【請求項３９】
前記少なくとも１つのインジケーションは、アクティブなデバイスの数を備える、
請求項３４に記載の方法。
【請求項４０】
前記少なくとも１つのインジケーションは、受信信号強度インジケーション（ＲＳＳＩ）を備える、
請求項３４に記載の方法。
【請求項４１】
前記少なくとも１つのインジケーションは、送信されたアクセスメッセージの量を備える、
請求項３４に記載の方法。
【請求項４２】
前記少なくとも１つのインジケーションは、リンク状態を備える、
請求項３４に記載の方法。
【請求項４３】
前記少なくとも１つのインジケーションは、バッファステータスを備える、
請求項３４に記載の方法。
【請求項４４】
前記少なくとも１つのインジケーションは、パケットロス率を備える、
請求項３４に記載の方法。
【請求項４５】
マルチモードアクセスポイントであって、
第１の無線アクセス技術を使用して前記マルチモードアクセスポイントに接続されたアクセス端末にサービスを提供するための手段と、
前記アクセス端末からのサポートから独立した前記マルチモードアクセスポイントに可視の１つまたは複数のネットワーク属性に基づいて、前記第１の無線アクセス技術に関連するトラフィック状態を示す少なくとも１つのインジケーションを判断するための手段と、
前記少なくとも１つのインジケーションに基づいて、前記第１の無線アクセス技術の代わりに第２の無線アクセス技術に切り替えるための手段と、
前記第１の無線アクセス技術を介して前記アクセス端末にメッセージを、前記アクセス端末に、送るための手段、ここにおいて、前記第１の無線アクセス技術を介して送られた前記メッセージは、前記アクセス端末に、前記第１の無線アクセス技術を介した通信を無効化させ、前記第２の無線アクセス技術を介した通信を有効化させるように構成される、と、
前記第２の無線アクセス技術への前記切り替えの結果として、前記第２の無線アクセス技術を使用して前記アクセス端末にサービスを提供するための手段、ここにおいて、前記マルチモードアクセスポイントは、ワイヤレスネットワーク上における１つのノードに対応する、と
を備える、マルチモードアクセスポイント。
【請求項４６】
前記第１の無線アクセス技術は、Ｗｉ−Ｆｉ技術を備え、
前記第２の無線アクセス技術は、セルラー技術を備える、
請求項４５に記載のマルチモードアクセスポイント。
【請求項４７】
前記第１の無線アクセス技術は、セルラー技術を備え、
前記第２の無線アクセス技術は、Ｗｉ−Ｆｉ技術を備える、
請求項４５に記載のマルチモードアクセスポイント。
【請求項４８】
前記少なくとも１つのインジケーションは、スループットを備える、
請求項４５に記載のマルチモードアクセスポイント。
【請求項４９】
前記少なくとも１つのインジケーションは、干渉を備える、
請求項４５に記載のマルチモードアクセスポイント。
【請求項５０】
前記少なくとも１つのインジケーションは、アクティブなデバイスの数を備える、
請求項４５に記載のマルチモードアクセスポイント。
【請求項５１】
前記少なくとも１つのインジケーションは、受信信号強度インジケーション（ＲＳＳＩ）を備える、
請求項４５に記載のマルチモードアクセスポイント。
【請求項５２】
前記少なくとも１つのインジケーションは、送信されたアクセスメッセージの量を備える、
請求項４５に記載のマルチモードアクセスポイント。
【請求項５３】
前記少なくとも１つのインジケーションは、リンク状態を備える、
請求項４５に記載のマルチモードアクセスポイント。
【請求項５４】
前記少なくとも１つのインジケーションは、バッファステータスを備える、
請求項４５に記載のマルチモードアクセスポイント。
【請求項５５】
前記少なくとも１つのインジケーションは、パケットロス率を備える、
請求項４５に記載のマルチモードアクセスポイント。
【請求項５６】
マルチモードアクセスポイントに、
第１の無線アクセス技術を使用して前記マルチモードアクセスポイントに接続されたアクセス端末にサービスを提供することと、
前記アクセス端末からのサポートから独立した前記マルチモードアクセスポイントに可視の１つまたは複数のネットワーク属性に基づいて、前記第１の無線アクセス技術に関連するトラフィック状態を示す少なくとも１つのインジケーションを判断することと、
前記少なくとも１つのインジケーションに基づいて、前記第１の無線アクセス技術の代わりに第２の無線アクセス技術に切り替えることと、
前記第１の無線アクセス技術を介して前記アクセス端末にメッセージを、前記アクセス端末に、送ること、ここにおいて、前記第１の無線アクセス技術を介して送られた前記メッセージは、前記アクセス端末に、前記第１の無線アクセス技術を介した通信を無効化させ、前記第２の無線アクセス技術を介した通信を有効化させるように構成される、と
前記第２の無線アクセス技術への前記切り替えの結果として、前記第２の無線アクセス技術を使用して前記アクセス端末にサービスを提供することここにおいて、前記マルチモードアクセスポイントは、ワイヤレスネットワーク上における１つのノードに対応する、と
を行わせるためのコードを備える非一時的コンピュータ可読媒体。
【請求項５７】
前記第１の無線アクセス技術は、Ｗｉ−Ｆｉ技術を備え、
前記第２の無線アクセス技術は、セルラー技術を備える、
請求項５６に記載の非一時的コンピュータ可読媒体。
【請求項５８】
前記第１の無線アクセス技術は、セルラー技術を備え、
前記第２の無線アクセス技術は、Ｗｉ−Ｆｉ技術を備える、
請求項５６に記載の非一時的コンピュータ可読媒体。
【請求項５９】
前記少なくとも１つのインジケーションは、スループットを備える、
請求項５６に記載の非一時的コンピュータ可読媒体。
【請求項６０】
前記少なくとも１つのインジケーションは、干渉を備える、
請求項５６に記載の非一時的コンピュータ可読媒体。
【請求項６１】
前記少なくとも１つのインジケーションは、アクティブなデバイスの数を備える、
請求項５６に記載の非一時的コンピュータ可読媒体。
【請求項６２】
前記少なくとも１つのインジケーションは、受信信号強度インジケーション（ＲＳＳＩ）を備える、
請求項５６に記載の非一時的コンピュータ可読媒体。
【請求項６３】
前記少なくとも１つのインジケーションは、送信されたアクセスメッセージの量を備える、
請求項５６に記載の非一時的コンピュータ可読媒体。
【請求項６４】
前記少なくとも１つのインジケーションは、リンク状態を備える、
請求項５６に記載の非一時的コンピュータ可読媒体。
【請求項６５】
前記少なくとも１つのインジケーションは、バッファステータスを備える、
請求項５６に記載の非一時的コンピュータ可読媒体。
【請求項６６】
前記少なくとも１つのインジケーションは、パケットロス率を備える、
請求項５６に記載の非一時的コンピュータ可読媒体。
【請求項６７】
前記メッセージは、前記第１の無線アクセス技術をサポートする第１のトランシーバを］介して前記アクセス端末に送られる、
請求項３４に記載の方法。
【請求項６８】
前記マルチモードアクセスポイントは、経時的に前記第１の無線アクセス技術に関連する前記トラフィック状態の記録に基づいて前記少なくとも１つのインジケーションを判断することを行うように構成される、
請求項３４に記載の方法。